(57)【要約】  本発明は、複数の多目的タイル、特に、床タイル、壁タイル又は天井タイルを含む多目的タイルシステム、特に、床タイルシステムに関する。本発明は、本発明にかかる相互に連結されたタイルからなるタイルカバー、特に、床カバー、天井カバー又は壁カバーにも関する。本発明は、さらに、本発明にかかる多目的タイルシステムにおける使用のためのタイルに関する。
2021532291.tif 000002
【特許請求の範囲】
【請求項１】
複数の多目的タイル、特に床タイルを含む多目的タイルシステム、特に床タイルシステムであって、タイルが、シェブロン模様で接合されるように構成され、各タイルが、
第１端部と反対側の第２端部とからなる第１対の対向端部と、
第３端部と対向する第４端部とからなる第２対の対向端部と、を含み、
前記第１端部及び前記第３端部が第１鋭角を囲み、前記第２端部及び前記第４端部が前記第１鋭角に対向する第２鋭角を囲み、前記第２端部及び前記第３端部が第１鈍角を囲み、前記第１端部及び前記第４端部が前記第１鈍角に対向する第２鈍角を囲み、
前記第１対の対向端部が、
前記タイルの上側に実質的に平行な方向に延びる横向きトングを含む第１連結プロファイルと、
さらなるタイルの横向きトングの少なくとも一部を収容するために構成された凹部を含む対向する第２連結プロファイルであって、前記凹部が上側リップ及び下側リップによって規定され、第１機械的連結プロファイルが、内側に角度を向けることによって前記タイルを共に係止することを可能にすることによって、前記横向きトングの少なくとも一部が前記凹部によって収容される、対向する第２連結プロファイルと、を含む、少なくとも垂直に、好ましくは水平にも前記タイルを共に係止するための対向する第１機械的連結手段の対を有し、
前記第２対の対向端部が、
上向きトングと、前記上向きトングから距離をおいて存在する少なくとも一つの上向きフランクと、前記上向きトングと前記上向きフランクとの間に形成された上向き溝とを含む第３連結プロファイルであって、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含む、第３連結プロファイルと、
下向きトングと、前記下向きトングから距離をおいて存在する少なくとも一つの下向きフランクと、前記下向きトングと前記下向きフランクとの間に形成された下向き溝とを含む第４連結プロファイルであって、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記少なくとも一つの第１係止素子との相互作用のために適合し、第２機械的連結プロファイルが、前記タイルの前記第１連結プロファイルと別のタイルの前記第２連結プロファイルとを内側に角度を向ける間に前記タイルを共に係止することを可能にし、連結対象の前記タイルの前記第４連結プロファイルによって、前記第３連結プロファイル及び前記第４連結プロファイルの係止をもたらすさらに別のタイルの前記第３連結プロファイルの方へのシザリング移動が生じる、第４連結プロファイルと、を含む、垂直且つ水平に前記タイルを共に係止するための対向する第２機械的連結手段の対を有し、
各タイルが、少なくとも一つの可塑性材料と少なくとも一つの充填剤とを含む発泡複合体で少なくとも部分的に作製された実質的に剛性の基層を含み、前記基層中の可塑性材料の重量割合が４０％〜４５％の間にあり、少なくとも一つの充填剤が炭酸カルシウムであり、前記基層中の炭酸カルシウムの重量割合が４５％〜４８％の間にあり、少なくとも一つのタイルが、前記基層の上側に付着させた少なくとも一つの上側基板を含み、前記上側基板が装飾層を含み、少なくとも一つのタイルが、前記基層の上側に付着させた複数の帯板形状上側基板を含み、前記上側基板が、同一平面内に並んで、好ましくは平行構成で配置され、少なくとも二つの帯板形状上側基板の対向する長手方向端部が、最上部側の近くでベベルを有する、多目的タイルシステム。
【請求項２】
前記タイルシステムが二つの異なる型のタイル（それぞれＡ及びＢ）を含み、前記第１対の対向端部に沿った一方の型のタイルの前記第１機械的連結手段が、他方の型のタイルの同一の前記第１対の対向端部部分に沿った前記対応する第１機械的連結手段に対してミラー反転様式で配置される、請求項１に記載のタイルシステム。
【請求項３】
少なくとも一つのタイルが、
前記第１連結プロファイルが前記第１端部に配置され、
前記第２連結プロファイルが前記第２端部に配置され、
前記第３連結プロファイルが前記第３端部に配置され、
前記第４連結プロファイルが前記第４端部に配置される、構成を有する、請求項１または２に記載のタイルシステム。
【請求項４】
少なくとも一つのタイルが、
前記第１連結プロファイルが前記第２端部に配置され、
前記第２連結プロファイルが前記第１端部に配置され、
前記第３連結プロファイルが前記第３端部に配置され、
前記第４連結プロファイルが前記第４端部に配置される、構成を有する、請求項１〜３の何れか一項に記載のタイルシステム。
【請求項５】
前記第１連結プロファイルが、前記タイルの前記上側に実質的に平行な方向に延びる横向きトングを含み、前記横向きトングの底部前部領域、前記トングの底部後部領域がベアリング領域として構成され、前記底部後部領域が、前記底部前部領域の最下部よりも前記タイルの上側のレベルに近くに位置し、
前記第２連結プロファイルが、さらなるタイルの前記横向きトングの少なくとも一部を収容するための凹部を含み、前記凹部が上側リップ及び下側リップによって規定され、前記下側リップが、前記横向きトングの前記ベアリング領域を支持する且つ／又は対向するための上方突出肩部を有し、係止が、前記横向きトング、さらなるタイルの前記凹部内への導入移動と、前記第１連結プロファイルに平行な軸線の周りの下に角度を向ける移動とによって起こるように、前記横向きトングが設計され、その結果、前記横向きトングの最上部側が前記上側リップに係合することになり、前記横向きトングの前記ベアリング領域が前記下側リップの肩部に支持され、且つ／又は対向することになり、それによって、水平方向及び垂直方向の両方における前記第１端部及び前記第２端部における隣接するタイルの係止が生じる、請求項１〜４の何れか一項に記載のタイルシステム。
【請求項６】
前記第３連結プロファイルが、上向きトングと、前記上向きトングから距離をおいて存在する少なくとも一つの上向きフランクと、前記上向きトングと前記上向きフランクとの間に形成された上向き溝とを含み、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含み、
前記第４連結プロファイルが、下向きトングと、前記下向きトングから距離をおいて存在する少なくとも一つの下向きフランクと、前記下向きトングと前記下向きフランクとの間に形成された下向き溝とを含み、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記第３連結プロファイルの前記少なくとも一つの第１係止素子との相互作用のために適合し、
前記第３連結プロファイル及び前記第４連結プロファイルが、前記第１連結プロファイルにおける連結対象のタイルの角度をさらなるタイルの前記第２連結プロファイルに下げる間に係止が起こるように設計され、水平方向及び垂直方向の両方における前記第３連結プロファイル及び前記第４連結プロファイルにおける隣接するタイルの係止につながる、前記第３連結プロファイル及び／又は連結プロファイル端部の変形によって、連結対象の前記タイルの前記第４連結プロファイルの前記下向きトングが前記別のタイルの前記第３連結プロファイルの前記上向き溝内に圧入され、前記別のタイルの前記上向きトングが連結対象の前記タイルの前記下向き溝内に圧入されるように、連結対象の前記タイルの前記第４連結プロファイルが、さらに別のタイルの第３連結プロファイルの方へのシザリング移動を生じる、請求項１〜５の何れか一項に記載のタイルシステム。
【請求項７】
タイルの前記第１端部の長さ及び前記第２端部の長さが実質的に同一である、請求項１〜６の何れか一項に記載のタイルシステム。
【請求項８】
タイルの前記第１端部の前記長さ及び前記第２端部の前記長さが、前記タイルの前記第３端部及び前記第４端部の前記長さよりも長い、請求項１〜７の何れか一項に記載のタイルシステム。
【請求項９】
前記第１鋭角及び前記第２鋭角が、３０〜６０度の間であり、好ましくは実質的に４５度である、請求項１〜８の何れか一項に記載のタイルシステム。
【請求項１０】
前記第１鈍角及び前記第２鈍角が、１２０〜１５０度の間であり、好ましくは実質的に１３５度である、請求項１〜９の何れか一項に記載のタイルシステム。
【請求項１１】
タイル、好ましくは各タイルの少なくとも一対の対向端部が、前記最上部側の近くでベベルを有する、請求項１〜１０の何れか一項に記載のタイルシステム。
【請求項１２】
各帯板形状上側基板が、
装飾層と、
前記装飾層をカバーし、摩耗層の上面が前記タイルの前記上面であり、前記摩耗層が透明材料及び／又は半透明材料であり、その結果、装飾層が透明摩耗層を通して視認可能であり、少なくとも二つの帯板形状上側基板の対向する長手方向端部において提供される各ベベルが前記摩耗層の切取部分及び／又は刻印部分によって形成される、耐摩耗性摩耗層と、
所望により、前記装飾層と前記摩耗層との間にある透明仕上げ層と、を含む、請求項１〜１１の何れか一項に記載のタイルシステム。
【請求項１３】
各帯板形状上側基板が、前記基層と前記装飾層との間にある背面層を含む、請求項１〜１２の何れか一項に記載のタイルシステム。
【請求項１４】
前記背面層の最上部分の幅が、前記背面層の底部分の幅よりも大きい、請求項１３に記載のタイルシステム。
【請求項１５】
少なくとも一つの上側基板、好ましくは各上側基板が、金属、合金、ビニルモノマーコポリマー及び／又はホモポリマーなどの巨大分子材料；ポリエステル、ポリアミド、ポリイミド、エポキシ樹脂、フェノールホルムアルデヒド樹脂、尿素ホルムアルデヒド樹脂などの縮合重合体；植物繊維、動物繊維、鉱物繊維、セラミック繊維及び炭素繊維などの天然巨大分子材料又はそれらの改質誘導体、からなる群から選択される少なくとも一つの材料で少なくとも部分的に作製され、好ましくは、一つ以上のビニルモノマーコポリマー及び／又はホモポリマーが適用される場合、前記ビニルモノマーコポリマー及び／又はホモポリマーが、ポリエチレン、ポリ塩化ビニル、ポリスチレン、ポリメタクリレート、ポリアクリレート、ポリアクリルアミド、ＡＢＳ、（アクリロニトリル−ブタジエン−スチレン）コポリマー、ポリプロピレン、エチレン―プロピレンコポリマー、ポリ塩化ビニリデン、ポリテトラフルオロエチレン、ポリフッ化ビニリデン、ヘキサフルオロプロペン及びスチレン−無水マレイン酸コポリマーからなる群から選択される、請求項１〜１４の何れか一項に記載のタイルシステム。
【請求項１６】
各帯板形状上側基板が、プリント層を少なくとも部分的にカバーする実質的に透明又は半透明な三次元エンボス加工構造を含む、請求項１〜１５の何れか一項に記載のタイルシステム。
【請求項１７】
前記複数の上側基板が、前記基層の上側表面を実質的に完全にカバーする、請求項１〜１６の何れか一項に記載のタイルシステム。
【請求項１８】
前記複数の上側基板の各々が、前記タイルの前記第１端部から前記第２端部に延びる、請求項１〜１７の何れか一項に記載のタイルシステム。
【請求項１９】
前記複数の上側基板の各々が装飾層を含み、少なくとも二つの隣接して配置された上側基板の前記装飾層が異なる外観を有する、請求項１〜１８の何れか一項に記載のタイルシステム。
【請求項２０】
前記基層が、複数の発泡剤、好ましくは活性化発泡剤を含み、少なくとも二つの発泡剤が、互いに異なる分解温度を有する、請求項１〜１９の何れか一項に記載のタイルシステム。
【請求項２１】
前記基層の前記発泡複合体の前記可塑性材料がポリ塩化ビニル（ＰＶＣ）である、請求項１〜２０の何れか一項に記載のタイルシステム。
【請求項２２】
前記基層の前記発泡複合体の前記可塑性材料が、エチレン酢酸ビニル（ＥＶＡ）、ポリウレタン（ＰＵ）、ポリエチレン（ＰＥ）、ポリプロピレン（ＰＰ）、ポリスチレン（ＰＳ）、ポリ塩化ビニル（ＰＶＣ）又はそれらの混合物からなる群から選択される少なくとも一つの材料である、請求項１〜２１の何れか一項に記載のタイルシステム。
【請求項２３】
前記基層の少なくとも一つの充填剤が、タルク、チョーク、木材、炭酸カルシウム及び無機充填剤からなる群から選択される、請求項１〜２２の何れか一項に記載のタイルシステム。
【請求項２４】
前記基層の少なくとも一つの充填剤が、ステアリン酸塩、ステアリン酸カルシウム及びステアリン酸亜鉛からなる群から選択される、請求項１〜２３の何れか一項に記載のタイルシステム。
【請求項２５】
前記基層が、少なくとも一つのアルキルメタクリレートを含む少なくとも一つの衝撃改質剤を含み、前記アルキルメタクリレートが、好ましくは、メチルメタクリレート、エチルメタクリレート、プロピルメタクリレート、イソプロピルメタクリレート、ｔ−ブチルメタクリレート及びイソブチルメタクリレートからなる群から選択される、請求項１〜２４の何れか一項に記載のタイルシステム。
【請求項２６】
前記実質的に剛性の基層が、独立気泡発泡体可塑性材料で少なくとも部分的に作製され、前記可塑性材料が可塑剤を含まない、請求項１〜２５の何れか一項に記載のタイルシステム。
【請求項２７】
前記発泡複合体が、約０．１〜１．５ｇ／ｃｍ３の範囲の密度を有する、請求項１〜２６の何れか一項に記載のタイルシステム。
【請求項２８】
前記発泡複合体が、約３重量％〜９重量％の強化剤を含む、請求項１〜２７の何れか一項に記載のタイルシステム。
【請求項２９】
前記発泡複合体が、７００ＭＰａ超の弾性係数を有する、請求項１〜２８の何れか一項に記載のタイルシステム。
【請求項３０】
前記基層の密度が、前記基層の高さに沿って変化する、請求項１〜２９の何れか一項に記載のタイルシステム。
【請求項３１】
前記基層の最上部及び／又は底部が、前記基層の中心領域の多孔度未満である多孔度を有するクラスト層を形成し、各クラスト層の厚さが、０．０１〜１ｍｍの間、好ましくは０．１〜０．８ｍｍの間である、請求項１〜３０の何れか一項に記載のタイルシステム。
【請求項３２】
各タイルが、前記基層の底側に付着された少なくとも一つのバッキング層を含み、前記少なくとも一つのバッキング層が、可撓性材料、好ましくはエラストマーで少なくとも部分的に作製される、請求項１〜３１の何れか一項に記載のタイルシステム。
【請求項３３】
前記バッキング層の厚さが少なくとも０．５ｍｍである、請求項３２に記載のタイルシステム。
【請求項３４】
各タイルが少なくとも一つの補強層を含み、前記補強層の密度が、好ましくは、１０００〜２０００ｋｇ／ｍ３の間、好ましくは１４００〜１９００ｋｇ／ｍ３の間、より好ましくは１４００〜１７００ｋｇ／ｍ３の間である、請求項１〜３３の何れか一項に記載のタイルシステム。
【請求項３５】
各タイルの第１連結部分の少なくとも一部及び／又は第２連結部分の少なくとも一部が前記基層に一体的に接続される、請求項１〜３４の何れか一項に記載のタイルシステム。
【請求項３６】
第１連結部分及び／又は第２連結部分は、連結及び離脱中における変形を可能にする、請求項１〜３５の何れか一項に記載のタイルシステム。
【請求項３７】
第１連結部分及び第２連結部分の内の少なくとも一つの連結部分が、前記連結素子の前記トングを前記基層に接続する架橋を含み、前記架橋の最小厚さが、前記トングの最小幅よりも小さい、請求項１〜３６の何れか一項に記載のタイルシステム。
【請求項３８】
第２連結部分が、前記下向きトングを前記基層に接続する上側架橋を含み、前記上側架橋が、隣接するタイルの連結中に変形して、前記下向き溝を広げるように構成され、好ましくは、前記第２連結部分の前記上側架橋の下側が少なくとも部分的に傾斜する、請求項１〜３７の何れか一項に記載のタイルシステム。
【請求項３９】
前記上向きトングの前記上側が、少なくとも部分的に傾斜し、前記上向きトングの上側の傾きと前記第２連結部分の架橋部分の傾きとが実質的に同様であり、両傾きが、例えば、相互に０〜５度の間の角度を囲む、請求項３８に記載のタイルシステム。
【請求項４０】
前記タイルの前記上側に隣接する前記上向きフランクの少なくとも一部が、これらのタイルの連結状態で別のタイルの前記上側に隣接する前記下向きトングの少なくとも一部に接触するように適合される、請求項１〜３９の何れか一項に記載のタイルシステム。
【請求項４１】
前記タイルの前記上側が、別のタイルの前記上側に実質的に継ぎ目なしで係合するように適合される、請求項３９に記載のタイルシステム。
【請求項４２】
前記第１係止素子が、前記上向きトングの上側から距離をおいて位置する、請求項１〜４１の何れか一項に記載のタイルシステム。
【請求項４３】
前記第２係止素子が、前記下向き溝の上側から距離をおいて位置する、請求項１〜４２の何れか一項に記載のタイルシステム。
【請求項４４】
下向き配置端部の有効高さが、前記上向きトングの有効高さよりも高い、請求項１〜４３の何れか一項に記載のタイルシステム。
【請求項４５】
前記上向きフランクに対向する前記上向きトングの側面の少なくとも傾斜部分及び前記上向きフランクによって囲まれる相互角度が、前記下向きフランクに対向する前記下向きトングの側面の少なくとも傾斜部分及び前記下向きフランクによって囲まれる前記相互角度に実質的に等しい、請求項１〜４４の何れか一項に記載のタイルシステム。
【請求項４６】
一方で、前記上向きフランクに対向する前記上向きトングの側面の少なくとも一部が延びる前記方向、及び他方で、前記基層の上側の法線によって囲まれる前記角度が、０〜６０度の間、特に０〜４５度の間である、請求項１〜４５の何れか一項に記載のタイルシステム。
【請求項４７】
一方で、前記下向きフランクに対向する前記下向きトングの側面の少なくとも一部が延びる前記方向、及び他方で、前記基層の下側の法線によって囲まれる前記角度が、０〜６０度の間、特に０〜４５度の間である、請求項１〜４６の何れか一項に記載のタイルシステム。
【請求項４８】
前記第１係止素子が少なくとも一つの外側バルジを含み、前記第２係止素子が少なくとも一つの凹部を含み、前記外側バルジが、係止結合を実現する目的のために、隣接する連結タイルの凹部内に少なくとも部分的に収容されるように適合される、請求項１〜４７の何れか一項に記載のタイルシステム。
【請求項４９】
前記第１係止素子が、前記上向きトングの上側から距離をおいて位置する、請求項１〜４８の何れか一項に記載のタイルシステム。
【請求項５０】
前記下向きフランクから離れて対向する前記下向きトングの側面が第３係止素子を有し、前記上向きフランクが第４係止素子を有し、前記第３係止素子が、別のタイルの第４係止素子と協働するように適合される、請求項１〜４９の何れか一項に記載のタイルシステム。
【請求項５１】
二つのタイルの連結状態における前記第３係止素子と前記第４係止素子との間の前記相互作用が、前記タイルによって規定された平面に対する角度Ａ１を囲む接平面Ｔ１を規定し、前記角度Ａ１が、前記タイルによって規定された前記平面と、前記上向きフランクに対向する前記上向きトングの側面の傾斜部分と前記下向きフランクに対向する前記下向きトングの側面の傾斜部分との間の相互作用によって規定される接平面Ｔ２とによって囲まれた角度Ａ２よりも小さい、請求項５０に記載のタイルシステム。
【請求項５２】
角度Ａ１と角度Ａ２との間の最大差が５〜１０度の間である、請求項５１に記載のタイルシステム。
【請求項５３】
前記下向きトングの上側端部と前記基層の下側との間の最短距離が平面を規定し、前記第３係止素子と前記下向きトングの少なくとも一部とが前記平面の反対側に位置する、請求項５０〜５２の何れか一項に記載のタイルシステム。
【請求項５４】
前記第３係止素子と前記タイルの上側との間の最小距離が、前記上向きトングの上側と前記タイルの前記上側との間の最小距離よりも小さい、請求項５０〜５３の何れか一項に記載のタイルシステム。
【請求項５５】
前記上向きフランクから離れて対向する前記上向きトングの側面が、隣接するタイルの連結状態において前記下向きフランクから距離をおいて位置する、請求項１〜５４の何れか一項に記載のタイルシステム。
【請求項５６】
少なくとも多くのタイルが同一である、請求項１〜５５の何れか一項に記載のタイルシステム。
【請求項５７】
前記タイルシステムが、異なる型のタイル（それぞれＡ及びＢ）を含み、第１の型のタイル（Ａ）の大きさが、第２の型のタイル（Ｂ）の大きさと異なる、請求項１〜５６の何れか一項に記載のタイルシステム。
【請求項５８】
特徴的な視覚的マークが、好ましくは設置目的のために、異なるタイルの型に適用される、請求項１〜５７の何れか一項に記載のタイルシステム。
【請求項５９】
特徴的な視覚的マークが、各タイルの型の少なくとも一つの第１連結素子の前記上向きトングに適用される、請求項５８に記載のタイルシステム。
【請求項６０】
前記装飾層が、前記基層又は前記基層上に適用されたプライマー層などの支持層上にデジタル的に直接印刷されたインク層によって形成される、請求項１〜５９の何れか一項に記載のタイルシステム。
【請求項６１】
前記装飾層が印刷合成フィルムによって形成される、請求項１〜５９の何れか一項に記載のタイルシステム。
【請求項６２】
請求項１〜６１の何れか一項に記載の前記タイルシステムの相互に連結されたタイルからなるタイルカバー、特に床カバー、天井カバー又は壁カバー。
【請求項６３】
請求項１〜６１の何れか一項に記載の多目的タイルシステムにおける使用のためのタイル。
【発明の詳細な説明】
【技術分野】
【０００１】
本発明は、複数の多目的タイル、特に、床タイル、壁タイル又は天井タイルを含む多目的タイルシステム、特に、床タイルシステムに関する。本発明は、本発明にかかる相互に連結されたタイルからなるタイルカバー、特に、床カバー、天井カバー又は壁カバーにも関する。本発明は、さらに、本発明にかかる多目的タイルシステムにおける使用のためのタイルに関する。
【背景技術】
【０００２】
シェブロン模様は、クレタ島（古代ギリシャ）で発見された復元陶器上における、約４０００年前の意匠として芸術において現れた。シェブロンは、後の芸術、建築物及び床材のための主要な模様意匠の内の一つになった。シェブロンは、ラテン語の単語である「山羊（capra）」から翻訳された、黄道帯の有名なＶ字形の星座である山羊座（Capricornus）（horned goat）を指すフランス語の単語であるシュブレ（chevre）（「山羊」）に由来する。明らかに、このＶ字形は、前記Ｖ字形シェブロン模様床材のインスピレーション源であったが、そのことは今日では依然として知られている。前記シェブロン模様は、典型的には、寄せ木パネルが下地床に接着されるか又は釘着される寄せ木床材の分野で用いられる。前記シェブロン床タイルは、通常の矩形寄せ木厚板から切断された平行四辺形の形状を有し、通常、前記パネルの両端表面は、前記タイルの長手方向の軸線に対して４５度の角度を囲むように切断される。設置の後、前記シェブロン模様は、作製されたＶ字形（矢筈模様（herringbone））レイアウトを、エレガントで、広々とした、格式さえある外観をもたらす２つの同一のレイアウト部分に分割する直線の分離線を特徴とする。知られた前記シェブロン床タイルの欠点は、これらのタイルが、（二つの端部を共に接続する）それらのとがった頂点において非常に脆弱であるということである。しかし、比較的容易に設置することが可能な相互接続可能シェブロン床パネルを開発する必要がある。
【発明の概要】
【発明が解決しようとする課題】
【０００３】
シェブロン模様を実現するための複数の相互接続可能タイルを含む多目的床システムを提供することが第一の目的である。
【０００４】
シェブロン模様を実現するための複数の比較的脆弱ではない相互接続可能タイルを含む多目的床システムを提供することが第２の目的である。
【課題を解決するための手段】
【０００５】
これらの目的の内の少なくとも一つは、プリアンブルにかかる多目的システムであって、タイルが、シェブロン模様で接合されるように構成され、各タイルが、第１端部と反対側の第２端部とからなる第１対の対向端部と、第３端部と対向する第４端部とからなる第２対の対向端部と、を含み、前記第１端部及び前記第３端部が第１鋭角を囲み、前記第２端部及び前記第４端部が前記第１鋭角に対向する第２鋭角を囲み、前記第２端部及び前記第３端部が第１鈍角を囲み、前記第１端部及び前記第４端部が前記第１鈍角に対向する第２鈍角を囲み、前記第１対の対向端部が、前記タイルの上側に実質的に平行な方向に延びる横向きトングを含む第１連結プロファイルと、さらなるタイルの横向きトングの少なくとも一部を収容するために構成された凹部を含む対向する第２連結プロファイルであって、前記凹部が上側リップ及び下側リップによって規定され、第１機械的連結プロファイルが、内側に角度を向けることによって前記タイルを共に係止することを可能にすることによって、前記横向きトングの少なくとも一部が前記凹部によって収容される、対向する第２連結プロファイルと、を含む、少なくとも垂直に、好ましくは水平にも前記タイルを共に係止するための対向する第１機械的連結手段の対を有し、前記第２対の対向端部が、上向きトングと、前記上向きトングから距離をおいて存在する少なくとも一つの上向きフランクと、前記上向きトングと前記上向きフランクとの間に形成された上向き溝とを含む第３連結プロファイルであって、前記上向きフランクに対向する前記上向きトングの側面の少なくとも一部が前記上向きフランクの方へ傾斜し、前記上向きフランクから離れて対向する前記上向きトングの側面の少なくとも一部が少なくとも一つの第１係止素子を所望により含み、（所望による）前記第１係止素子が好ましくは前記上向きトングの一体部分を作る、第３連結プロファイルと、下向きトングと、前記下向きトングから距離をおいて存在する少なくとも一つの下向きフランクと、前記下向きトングと前記下向きフランクとの間に形成された下向き溝とを含む第４連結プロファイルであって、前記下向きフランクに対向する前記下向きトングの側面の少なくとも一部が前記下向きフランクの方へ傾斜し、前記下向きフランクが少なくとも一つの第２係止素子を所望により含み、（所望による）前記第２係止素子が好ましくは前記下向きフランクの一体部分を作り、なおさらなるタイルの前記少なくとも一つの第１係止素子（適用される場合）との相互作用のために適合し、第２機械的連結プロファイルが、前記タイルの前記第１連結プロファイルと別のタイルの前記第２連結プロファイルとを内側に角度を向ける間に前記タイルを共に係止することを可能にし、連結対象の前記タイルの前記第４連結プロファイルによって、前記第３連結プロファイル及び前記第４連結プロファイルの係止をもたらすさらに別のタイルの前記第３連結プロファイルの方へのシザリング移動が生じる、第４連結プロファイルと、を含む、垂直且つ水平に前記タイルを共に係止するための対向する第２機械的連結手段の対を有し、各タイルが、少なくとも一つの可塑性材料と少なくとも一つの充填剤とを含む発泡複合体で少なくとも部分的に作製された実質的に剛性の基層を含み、前記複合体及び／又は前記可塑性材料が好ましくは独立気泡発泡体である、多目的システムを提供することによって達成され得る。
【０００６】
本発明にかかる前記タイルシステムは、接合状態でシェブロン模様を形成することになる平行四辺形、好ましくは斜方形又は長斜方形の形状を有するタイルを含む。タイルカバーを作製するために前記タイルを相互接続することによる前記タイルシステムの設置は、少なくとも垂直方向に、好ましくは水平方向にも第１タイル及び第２タイルを係止することになる、すでに設置されたタイルに対して設置されるタイルの角度を下げることによって典型的には（必ずというわけではないが）実現される、すでに設置された第２タイルの凹部内に設置される第１タイルの横向きトングを内側に角度を向けることによって実現され得る。前記第１タイル及び前記第２タイルのこの内側に角度を向けることの間、一般に、設置対象の前記第１タイルの第４連結プロファイルは、別のすでに設置された第３タイルの第３連結プロファイルに（同時に）接続されることになり、それは前記第３タイルに対して前記第１タイルを降下させることによって典型的には実現され、その間、前記第３連結プロファイル及び前記第４連結プロファイルは互いにシザリングが行われ（留められ）、それによって水平方向及び垂直方向の両方で前記第３タイルに対する前記第１タイルの係止が生じる。前記タイルの平行四辺形形状のため、シェブロン模様は、従来の寄せ木タイルの設置と比較して、比較的簡便で効率的な様式で、この様式で実現され得る。本発明にかかる前記タイルシステムの前記多目的タイルは、製造が比較的安価であり、取り扱い及び設置に特別な技能又は訓練を必要とせず、タイルを設置する経験を以前にしてこなかった自作を行う個人にとってそれは魅力的なものになる。各タイルの実質的に剛性の基層は、脆弱なとがった頂点を含む前記タイルにそれ自体で充分な剛性及び衝撃強度を提供する少なくとも一つの可塑性材料と少なくとも一つの充填剤とを含む少なくとも部分的に発泡複合体、好ましくは独立気泡複合体で構成される。このことによって、不慣れな人でも、耐久性があり且つ損傷を受けていないシェブロン模様を実現するために、この複合体を平行四辺形形状のタイルに適用するために理想的に適切なものになる。ＨＤＦ及びＭＤＦなどの従来の材料は、上述した発泡複合体よりも弱く、これらの従来の材料をシェブロン模様を実現する目的に不適切なものにする前記とがった頂点の破壊及び／又は損傷に容易につながる。ゆえに、前記基層中の前記発泡複合体の成分として用いられる、前記実質的に剛性の、好ましくは独立気泡発泡体の可塑性材料は、（通常の使用中における）前記連結プロファイル及び／又は前記とがった頂点の損傷及び特に破壊を阻止するそのような所望の剛性及び堅牢性として、前記タイルを提供する。発泡体可塑性材料を使用することのさらなる長所は、独立気泡の存在が、寸法的に同様の非発泡体可塑性材料と比較して、且つ、ＨＤＦ及びＭＤＦなどの従来の材料と比較して、剛性の向上と耐衝撃性の向上とにつながるだけでなく、密度の減少と重量の減少とにつながるということである。一般にあまり好ましいものではないが、実質的に剛性の基層が、連続気泡発泡体可塑性材料、又は連続気泡発泡体可塑性材料及び独立気泡発泡体可塑性材料の組み合わせで少なくとも部分的に作製されることが考えられる。前記基層の前記複合体の剛性は、強化剤を適用することによってさらに向上されてもよく、独立気泡発泡体可塑性材料の基層は、例えば、約３重量％〜９重量％の強化剤を含有してもよい。前記連結プロファイルに特異的な形態が付与されるので、隣接するタイルの実質的に相補的に形成された前記第１連結プロファイル及び前記第２連結プロファイルと実質的に相補的に形成された前記第３連結プロファイル及び第４連結プロファイルとが、比較的簡単に、しかし耐久的且つ効率的に、互いに連結され得る。隣接するタイルの連結の間、ここで相補的な第３連結プロファイル及び第４連結プロファイルの一つ又は両方に力が作用することになることによって、前記一つ又は両方の連結プロファイルは、わずかに且つ一時的に（弾性的に）ある程度変形することになり、その結果、前記上向きトング及び前記下向きトングをそれぞれ前記下向き溝及び前記上向き溝内に比較的簡単に配置することができるように前記下向き溝及び／又は前記上向き溝によって取られる体積が増加する。続いて、力が加えられた前記連結プロファイルを元の位置へ戻して（弾性的に）移動させることによって、信頼性のある、係止された結合が、前記第３連結プロファイル及び前記第４連結プロファイルの間で実現され、それによって前記二つのタイルの間で実現される。ゆえに、前記第３連結プロファイル及び／又は前記第４連結プロファイルは、連結を可能にする制限された程度の弾力性を有する実質的に剛性の連結プロファイルであると考えることができる。前記基層の剛性のため、且つ、前記連結部分の少なくとも一部が前記基層と典型的には一体化されるという事実のため（少なくともいくつかの実施形態において）、前記連結部分の弾力性は、タイルの連結及び離脱を行うために充分であるが、一般に非常に制限される。両方の連結部分が比較的信頼性のある様式で相互に係合し、一般に水平方向及び垂直方向の両方で二つのタイル間の係止効果をもたらすこの係止連結は、好ましくは遊びがないものであり、それによってきしんだノイズの発生のリスクが抑制される。これによって、摺動剤を付与しない場合であっても（しかし、このことは、摺動剤を本発明にかかる前記タイルの前記連結部分上に依然として付与することができることを除外しない）前記望ましくないノイズのリスクが低下するように、前記連結部分のプロファイルの適切な意匠によるこのリスクを低下させることが望まれる。その上、前記基層の前記発泡複合体のさらなる長所は、この複合体が、前記タイルを屋内使用及び屋外使用の両方に適切なものとする耐水特性を有するということである。従来のＨＤＦ／ＭＤＦは、水を吸収し、濡れている間にさらに脆弱化することになり、それによって、前記タイルの剛性、特に前記（さらにより多くの）脆弱なとがった頂点の剛性はさらに低下する。前記発泡複合体のさらなる特性は、従来の材料と比較して比較的低い密度であり、このことは、経済的観点から有利であるだけでなく、例えば航空機、乗物及び船舶、特に船の中又は上における発明にかかる前記床システムの適用性を広げる軽量なタイルにつながる。したがって、本発明にかかる前記タイルシステムは、異なる目的のために使用され得る。典型的には、前記軽量多目的タイルは、天井カバー、壁カバー及び／又は床カバーを実現するために、又は、例えば、家具の一部のカバーとして使用される。
【０００７】
本発明にかかる前記タイルシステムの前記タイルは、パネルと称されてもよい。前記基層は、コア層と称されてもよい。前記連結プロファイルは、連結部分又は接続プロファイルと称されてもよい。「相補的」連結プロファイルは、これらの連結プロファイルが互いに協働することが可能であることを意味する。しかし、このために、前記相補的連結プロファイルは、必ずしも完全に相補的な形態を有する必要はない。「垂直方向」の係止は、前記タイルの平面に対して垂直な方向の係止を意味する。「水平方向」の係止は、二つのタイルのそれぞれの連結端部に対して垂直で、且つ前記タイルによって規定された平面と平行又は共にある方向の係止を意味する。本文献が「床タイル」又は「床パネル」を参照する場合、これらの表現は、「タイル」、「壁タイル」、「天井タイル」、「カバータイル」などの表現によって置き換えてもよい。本文献の文脈において、「発泡複合体」及び「発泡可塑性材料」（又は「発泡体可塑性材料」）という表現は交換可能であり、実際、前記発泡複合体は、少なくとも一つの（熱）可塑性材料と少なくとも一つの充填剤とを含む発泡混合物を含む。典型的には、前記可塑性材料は、技術的に前記発泡体を形成することを可能にするが、そのように形成された前記発泡体は、少なくとも一つの（熱）可塑性材料及び少なくとも一つの充填剤の両方を含む発泡体マトリックスによって形成される。
【０００８】
シェブロン模様を実現する場合、前記システムが二つの異なる型のタイル（それぞれＡ及びＢ）を含み、前記第１対の対向端部に沿った一方の型のタイルの前記第１機械的連結手段が、他方の型のタイルの同一の前記第１対の対向端部部分に沿った前記対応する第１機械的連結手段に対してミラー反転様式で配置される場合が有利である。本発明にかかるシステムにおいて用いられる同一で且つミラー反転のタイルの長所は、前記タイルを容易に製造することが可能であり、例えば、前記Ａ型のタイル及び前記Ｂ型のタイルの両方の前記第２機械的連結手段を、例えば第１機械において機械加工することが可能であることである。次いで、前記Ａ型のタイルは、前記第１機械的連結手段が機械加工される別の機械へ進む。しかし、ミラー反転第１機械的連結手段を有する板、例えば、前記Ｂ型のタイルを、前記第１機械的連結手段を機械加工する前に同一平面内で１８０を通して回転させる。したがって、前記二つの型の板Ａ及びＢは、同一の機械と同一の組の工具とを用いて製造され得る。特徴的な視覚的マーク、例えば着色されたラベル、記号的ラベル、（あらかじめ取り付けられた）異なって着色されたバッキング層、及び／又はテキストラベルを異なるタイルの型に適用して、使用者が設置の間に前記異なるタイルの型を容易に認識することを可能にしてもよい。好ましくは、前記視覚的マークは、（上から見て）前記タイルの連結条件で視認可能ではない。視覚的マークは、例えば、前記上向きトングの上側上に、及び／又は前記上向き溝内に、及び／又は下向き溝内に適用されてもよい。本発明にかかる前記システムが三つ以上の異なる型のタイルを含むことが考えられる。
【０００９】
好ましい構成において、少なくとも一つのタイルは、前記第１連結プロファイルが前記第１端部に配置され、前記第２連結プロファイルが前記第２端部に配置され、前記第３連結プロファイルが前記第３端部に配置され、前記第４連結プロファイルが前記第４端部に配置される、構成を有する。このタイルであれば、例えば、Ａ型のタイルと称され得る。別の好ましい構成において、少なくとも一つのタイルは、前記第１連結プロファイルが前記第２端部に配置され、前記第２連結プロファイルが前記第１端部に配置され、前記第３連結プロファイルが前記第３端部に配置され、前記第４連結プロファイルが前記第４端部に配置される、構成を有する。このタイルであれば、例えば、Ｂ型のタイルと称され得る。
【００１０】
本発明にかかる前記タイルシステムのタイルの好ましい実施形態において、前記第１連結プロファイルが、前記タイルの前記上側に実質的に平行な方向に延びる横向きトングを含み、前記横向きトングの底部前部領域、前記トングの底部後部領域がベアリング領域として構成され、前記底部後部領域が、前記底部前部領域の最下部よりも前記タイルの上側のレベルに近くに位置し、前記第２連結プロファイルが、さらなるタイルの前記横向きトングの少なくとも一部を収容するための凹部を含み、前記凹部が上側リップ及び下側リップによって規定され、前記下側リップが、前記横向きトングの前記ベアリング領域を支持する且つ／又は対向するための上方突出肩部を有し、係止が、前記横向きトング、さらなるタイルの前記凹部内への導入移動と、前記第１連結プロファイルに平行な軸線の周りの下に角度を向ける移動とによって起こるように、前記横向きトングが設計され、その結果、前記横向きトングの最上部側が前記上側リップに係合することになり、前記横向きトングの前記ベアリング領域が前記下側リップの肩部に支持され、且つ／又は対向することになり、それによって、水平方向及び垂直方向の両方における前記第１端部及び前記第２端部における隣接するタイルの係止が生じる。前記第１端部及び前記第２端部において、二つのタイル間の水平方向の係止は、前記横向きトング（オス部分）の前記底部前部領域が前記相補的凹部（メス部分）及び前記上方突出肩部に対して水平方向に変位することを阻止する前記上方突出肩部の存在によって確立される。ゆえに、前記肩部は、前記横向きトングの前記底部前部領域を所定位置に係止する。好ましくは、前記肩部は、実質的に平坦な上側表面を有する。好ましくは、前記肩部の上側表面は、この上側表面が前記上側リップに対向するように、又はこの上側表面が前記上側リップから向きをそらすように、傾斜してもよいが、実質的に水平に方向づけられる。前記タイルコアに対向するか、又は方向づけられた肩部（側）壁は、好ましくは充分に傾斜して（急な）、連結タイルを水平方向に係止するための係止表面として作用する。好ましくは、上側肩部表面に接続する前記（内側）肩部壁の少なくとも上側端部部分は、水平平面に対して少なくとも４５度、より好ましくは少なくとも６０度の方向に延び、それによって水平方向の堅固な係止が確保されることになる。湾曲した肩部壁によって第２タイルの前記第２端部の前記凹部内への第１タイルの横向きトングの挿入が容易になるので、前記肩部壁は、好ましくは湾曲しているが、平坦であってもよい。好ましくは、前記コアと前記肩部との間で延びる前記下側リップの底部領域は、少なくとも部分的に湾曲しており（丸みを帯びており）、より好ましくは、前記下側リップの前記底部領域の形状は、前記横向きトングの前記少なくとも部分的に丸みを帯びた底部前部領域の形状に対して実質的に相補的である。前記相補的湾曲表面は、前記タイルの連結の間、摺動面として作用することになる。前記上側表面は、前記下側リップの対応する底部領域に対して実質的に相補的な形状を有する。二つのタイルの前記第１端部及び前記第２端部における垂直方向の係止は、係止表面として作用する前記上側リップの底面への前記横向きトングの上面の係合によって確立される。実際、前記上側リップは、挿入された前記横向きトングが垂直方向に変位することを阻止する。結合後、前記横向きトングの上面は、好ましくは、前記上側リップの底面に少なくとも部分的に係合する。結合後、前記横向きトングの上面は、好ましくは、前記上側リップの完全底面に係合する。この部分的又は完全な係合によって、連結されたタイルの間の遊びが阻止される。ゆえに、タイルは、前記第１端部及び前記第２端部における遊びなしで連結され得る。
【００１１】
本発明にかかる前記タイルシステムのタイルの好ましい実施形態において、前記第３連結プロファイルが、上向きトングと、前記上向きトングから距離をおいて存在する少なくとも一つの上向きフランクと、前記上向きトングと前記上向きフランクとの間に形成された上向き溝とを含み、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を含み、前記第４連結プロファイルが、下向きトングと、前記下向きトングから距離をおいて存在する少なくとも一つの下向きフランクと、前記下向きトングと前記下向きフランクとの間に形成された下向き溝とを含み、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を含み、なおさらなるタイルの前記第３連結プロファイルの前記少なくとも一つの第１係止素子との相互作用のために適合し、前記第３連結プロファイル及び前記第４連結プロファイルが、前記第１連結プロファイルにおける連結対象のタイルの角度をさらなるタイルの前記第２連結プロファイルに下げる間に係止が起こるように設計され、水平方向及び垂直方向の両方における前記第３連結プロファイル及び前記第４連結プロファイルにおける隣接するタイルの係止につながる、前記第３連結プロファイル及び／又は連結プロファイル端部の変形によって、連結対象の前記タイルの前記第４連結プロファイルの前記下向きトングが前記別のタイルの前記第３連結プロファイルの前記上向き溝内に圧入され、前記別のタイルの前記上向きトングが連結対象の前記タイルの前記下向き溝内に圧入されるように、連結対象の前記タイルの前記第４連結プロファイルが、さらに別のタイルの第３連結プロファイルの方へのシザリング移動を生じる。
【００１２】
典型的には、タイルの前記第１端部の長さ及び前記第２端部の長さが実質的に同一である。タイルの前記第３端部の長さ及び前記第４端部の長さが実質的に同一であることも典型的である。タイルの前記第１端部の前記長さ及び前記第２端部の前記長さが、前記タイルの前記第３端部及び前記第４端部の前記長さに実質的に同一であることが考えられる。この構成は、菱形形状のタイルをもたらすことになる。しかし、一般に、タイルの前記第１端部の前記長さ及び前記第２端部の前記長さが、前記タイルの前記第３端部及び前記第４端部の前記長さよりも長いことがより好ましい。この構成は、平行四辺形形状を有する長方形タイルをもたらすことになる。
【００１３】
本発明にかかる前記タイルシステムの各タイルの前記第１鋭角及び前記第２鋭角は、好ましくは３０〜６０度の間であり、より好ましくは４０〜５０度の間であり、特に好ましくは約４５度（±１又は２度）に等しい。本発明にかかる前記タイルシステムの各タイルの前記第１鈍角及び前記第２鈍角は、好ましくは１２０〜１５０度の間であり、より好ましくは１３０〜１４０度の間であり、特に好ましくは約１３５度（±１又は２度）に等しい。
【００１４】
各タイルは、好ましくは、前記基層の上側に付着させた上側基板を含み、前記基板は、好ましくは装飾層を含む。前記上側基板は、金属、合金、ビニルモノマーコポリマー及び／又はホモポリマーなどの巨大分子材料；ポリエステル、ポリアミド、ポリイミド、エポキシ樹脂、フェノールホルムアルデヒド樹脂、尿素ホルムアルデヒド樹脂などの縮合重合体；植物繊維、動物繊維、鉱物繊維、セラミック繊維及び炭素繊維などの天然巨大分子材料又はそれらの改質誘導体、からなる群から選択される少なくとも一つの材料で好ましくは少なくとも部分的に作製される。ここで、前記ビニルモノマーコポリマー及び／又はホモポリマーは、好ましくは、ポリエチレン、ポリ塩化ビニル（ＰＶＣ）、ポリスチレン、ポリメタクリレート、ポリアクリレート、ポリアクリルアミド、ＡＢＳ、（アクリロニトリル−ブタジエン−スチレン）コポリマー、ポリプロピレン、エチレン―プロピレンコポリマー、ポリ塩化ビニリデン、ポリテトラフルオロエチレン、ポリフッ化ビニリデン、ヘキサフルオロプロペン及びスチレン−無水マレイン酸コポリマー並びにそれらの誘導体からなる群から選択される。前記上側基板は、最も好ましくは、ポリエチレン又はポリ塩化ビニル（ＰＶＣ）を含む。前記ポリエチレンは、低密度ポリエチレン、中密度ポリエチレン、高密度ポリエチレン又は超高密度ポリエチレンであることができる。前記上側基板層は、充填剤と、製品の物理的特性及び／又は化学的特性及び／又は加工性を向上させる他の添加剤とを含むこともできる。これらの添加剤としては、知られた強化剤、可塑剤、補強剤、抗カビ（防腐）剤、難燃剤及び同種のものが挙げられる。前記一つ以上の上側基板の装飾層は、好ましくは、前記基層又は前記基層上に適用されたプライマー層などの支持層上にデジタル的に印刷されたインク層によって形成される。前記一つ以上の上側基板の前記装飾層は、印刷ＰＥＴフィルム又は印刷ＰＶＣフィルムなどの印刷合成フィルムによって形成されることも考えられる。
【００１５】
好ましい実施形態において、少なくとも一つのタイルが、前記基層の上側に直接的又は間接的に付着させた複数の帯板形状上側基板を含み、前記上側基板は、同一平面内に並んで、好ましくは平行構成の少なくとも二つの上側基板で配置され、少なくとも二つの帯板形状上側基板の対向する長手方向端部は、前記最上部側の近くでベベルを有する。好ましくは、各上側基板、好ましくは、各帯板形状上側基板は、装飾層と、前記装飾層をカバーする耐摩耗性摩耗層とを含み、前記摩耗層の上面は前記タイルの前記上面であり、前記摩耗層は透明材料及び／又は半透明材料であり、その結果、装飾層は透明摩耗層を通して視認可能である。好ましくは、少なくとも二つの帯板形状上側基板の対向長手端部は、前記最上部側の近くにベベルを（各々）有する。前記ベベルは、視認可能な継ぎ目の形成を阻止するために適用され、隣接する上側基板の継ぎ目のない係合を確保する。前記ベベルは、好ましくは、切取部分及び／又は刻印部分及び／又は前記装飾層をカバーする摩耗層の面取り部分によって形成される。好ましくは、前記ベベルは、前記装飾層の上に位置する。好ましくは、前記ベベルは、前記装飾層を無傷のままにする。好ましくは、透明仕上げ層は、前記装飾層と前記摩耗層との間にある。この仕上げ層は、ＰＶＣ又はＰＥＴなどの熱可塑性材料で作製されてもよい。好ましくは、各帯板形状上側基板は、前記基層と前記装飾層との間にある背面層を含む。前記背面層は、好ましくは、ＰＶＣ又はＰＥＴなどの熱可塑性材料で作製される。好ましくは、背面層厚さは、前記上側基板の厚さの少なくとも５０％である。前記背面層は、好ましくは、前記基層、又は前記基層の前記上面に付着されるプライマー層などの中間層に接着されるか、融合されるか、又は溶接される。好ましくは、前記背面層の最上部分の幅は、典型的には断面で認められるように、前記背面層の底部分の幅よりも大きい。好ましくは、前記長手端部の前記底部分を切断する（トリムする）且つ／又は変形させることによって、少なくとも前記（一つ又は複数の）上面の近くにおける、隣接する上側基板の継ぎ目がなく且つ密着した係合の向上を得ることができる。好ましくは、前記背面層の対向する長手端部の底部分は面取りされる。前記面取りは、好ましくは、前記タイルによって規定された前記平面に平行な（水平）平面の方よりも、前記タイルによって規定された前記平面に対して垂直な（垂直）平面の方へ傾斜する。前記面取りは、好ましくは、（前記基層の方へ）下向き方向に内側に傾斜する。製造の間、前記上側基板は、前記基層の前記上側表面に直接的又は間接的に付着され、前記上側基板は、好ましくは、互いに隣接して、むしろ密着して位置する。前記（一つ又は複数の）上側基板の前記底部分の前記狭い幅が適用される場合、小さい空気チャネルが、前記上側基板の底部側において、又は近くで、隣接する前記上側基板の間に形成されることが考えられる。前記上側基板の短い端部が、前記タイルの一対の対向端部、好ましくは前記タイルの一対の長い端部を共に形成することが考えられ、好ましい可能性もある。ここで、前記（一つ又は複数の）上側基板の短い端部が、前記上面の近くでベベルも有することが好ましく、それによって、隣接するタイルが互いに継ぎ目なしで係合することが可能になるか、又は容易になる。
【００１６】
前記上側基板は、典型的には、装飾層と前記装飾層をカバーする耐摩耗性摩耗層とを含み、前記摩耗層の上面は前記タイルの前記上面であり、前記摩耗層は透明材料であり、その結果、装飾層は、前記透明摩耗層を通して視認可能である。
【００１７】
前記上側基板の厚さは、典型的には、約０．１〜３．５ｍｍ、好ましくは約０．５〜３．２ｍｍ、より好ましくは、約１〜３ｍｍ、最も好ましくは約２〜２．５ｍｍで変化する。前記上側基板に対する前記発泡体基層の厚さ比は、一般に、それぞれ、約１〜１５：０．１〜３．５、好ましくは約１．５〜１０：０．５〜３．２、より好ましくは約１．５〜８：１〜３、最も好ましくは約２〜８：２〜２．５で変化する。
【００１８】
各タイルは、前記基層上へ前記上側基板を直接的又は間接的に付着させるために接着剤層を含んでもよい。前記接着剤層は、前記上側基板及び前記発泡体基層を共に結合することが可能な任意のよく知られた結合剤又はバインダ、例えば、ポリウレタン、エポキシ樹脂、ポリアクリレート、エチレン酢酸ビニルコポリマー、エチレンアクリル酸コポリマー及び同種のものであることができる。好ましくは、前記接着剤層は、ホットメルト結合剤である。
【００１９】
上記したように前記上側基板の一部であってもよい前記装飾層又は意匠層は、ＰＶＣ樹脂、安定剤、可塑剤及び本技術分野でよく知られている他の添加剤の知られた調合物などの任意の適切な知られた可塑性材料を含むことができる。前記意匠層には、印刷模様、例えば、木目、金属若しくは石の意匠、及び線維模様、又は三次元図形が形成又は印刷され得る。したがって、前記意匠層は、花崗岩、石又は金属などのより重い生成物に似ている三次元外観を有するタイルを提供することができる。前記意匠層の厚さは、典型的には、約０．０１〜０．１ｍｍ、好ましくは約０．０１５〜０．０８ｍｍ、より好ましくは約０．２〜０．７ｍｍ、最も好ましくは約０．０２〜０．５ｍｍで変化する。典型的には前記タイルの前記上側表面を形成する前記摩耗層は、その下の層上へコーティングされる耐摩耗性巨大分子材料、又は知られたセラミックビーズコーティングなどの任意の適切な知られた耐摩耗材料を含むことができる。前記摩耗層が層形態で与えられる場合、それは、その下の前記層に結合され得る。前記摩耗層は、紫外線コーティング又は別の有機ポリマー層及び紫外線コーティングの組み合わせなどの有機ポリマー層及び／又は無機材料層を含むこともできる。例えば、前記製品の表面引掻抵抗性、光沢、抗菌薬耐性及び他の特性を向上させることが可能な紫外線塗料。必要に応じて、ビニル樹脂などのポリ塩化ビニル樹脂又は他のポリマーを含む他の有機ポリマー、並びに適切な量の可塑剤及び他の処理添加剤が含まれてもよい。
【００２０】
好ましい実施形態において、少なくとも一つのタイルは、前記基層の上側に直接的又は間接的に付着させた複数の帯板形状上側基板を含み、前記上側基板は、同一平面内に並んで配置される。ここで、好ましくは、少なくとも二つの上側基板は、平行構成で方向づけられる。あるいは、又は、さらに、少なくとも二つの上側基板は、垂直配向性で方向づけられる。好ましくは、少なくとも一つの上側基板は、前記上側基板の長手方向軸線が前記タイルの一対の対向端部に対して平行であるように前記基層の前記上側に付着される。ここで、前記複数の上側基板は、好ましくは、前記基層の前記上側表面を実質的に完全にカバーし、より好ましくは、前記タイルの前記第１端部から前記第２端部に延びる。前記複数の上側基板の各々は、好ましくは装飾層を含み、少なくとも二つの隣接して配置された上側基板の前記装飾層は、好ましくは異なる外観を有する。同一平面内に並んで配置され、前記基層に直接的又は間接的に付着された複数の帯板形状上側基板の適用によって、設置の間、時間がかかり、高価である前記帯板形状上側基板ではなく、単にそのような前記タイルが連結されることになるという利点があると共に、前記シェブロンタイルがそのような前記帯板形状上側基板によって規定されるという魅力的な美的効果が生じることになる。
【００２１】
好ましくは、前記基層は、少なくとも一つの発泡剤を含む。前記少なくとも一つの発泡剤は、前記基層の密度を低下させることになる前記基層の発泡の処理を行う。これによって、寸法的に類似しており、非発泡基層を有するタイルと比較してより重量が軽い軽重量タイルが得られることになる。前記好ましい発泡剤は、前記基層で用いられる（熱）可塑性材料に、並びに所望の発泡体比、発泡体構造、及び、好ましくは、さらに、所望の発泡体比及び／又は発泡体構造を実現するための所望の（又は必要とされる）発泡体温度に依存する。このために、それぞれ異なる温度で前記基層を発泡させるために構成された複数の発泡剤を適用することが有利であり得る。このことによって、前記発泡基層は、より漸進的で、より制御された様式で実現され得る。前記基層中に（同時に）存在し得る二つの異なる発泡剤の例としては、アゾジカルボンアミド（ＡＤＣＡ）及び重炭酸ナトリウムがある。これらの発泡剤は、それらの相乗効果のために共に使用されることが好ましい。両成分は、非常に異なる分解挙動を示す。ＡＤＣＡは、発熱を伴って分解し、摂氏１９０〜２１０度の、狭いが比較的高い温度範囲にわたって、主要な質量を喪失することになる。分解促進剤とも称される活性化剤と共にＡＤＣＡを用いることによってＡＤＣＡを活性化することによって、この分解温度を低下させることが可能であり、好ましくは低下させる。ＡＤＣＡのための適切な活性化剤は、例えば、二塩基性亜リン酸鉛、酸化亜鉛、ステアリン酸亜鉛、炭酸カルシウム、酸化マグネシウム、シリカ及び他の無機化合物である。重炭酸ナトリウムは、摂氏１００〜１４０度の、より広いが比較的低い温度範囲にわたって分解することが分かった。活性化剤として、例えばクエン酸、好ましくは無水クエン酸を用いることによって、実際の分解温度を低下させることが可能であり、好ましくは低下させる。ＡＤＣＡの使用によって、発砲体密度の急激な低下が生じる。前記二つの発泡剤の間の相乗作用によって、ＡＤＣＡ及び重炭酸ナトリウムの組み合わせが微細で均一な気泡構造を伴う比較的低い発砲体密度につながるという事実が生じる。この微細な気泡構造の生成によって、ＡＤＣＡの分解から生成されるガス泡、特に窒素ガスが、前記分解から生じる二酸化炭素泡の核形成のための部位として作用するという結論が導かれた。
【００２２】
この点で、前記基層にわたって比較的安定した発泡体構造を保持するために、メチルメタクリレート（ＭＭＡ）及び／又はアクリル酸ブチル−メチルメタクリレート（ＢＡＭＭＡ）などの少なくとも一つの改質剤を適用することも多くの場合有利である。好ましくは、前記改質剤、好ましくはＭＭＡ又はＢＡＭＭＡの重量含有率は、２〜５％の間、より好ましくは３〜４％の間にある。
【００２３】
前記発泡体基層を形成するために適切な発泡体可塑性材料としては、ポリウレタン、ポリアミドコポリマー、ポリスチレン、ポリ塩化ビニル（ＰＶＣ）、ポリプロピレン及びポリエチレン発泡可塑物質を挙げることが可能であり、それらの全ては良好な成形加工性を有する。好ましくは、塩素化ＰＶＣ（ＣＰＶＣ）及び／又は塩素化ポリエチレン（ＣＰＥ）及び／又は別の塩素化熱可塑性材料を用いて、そのように前記基層及び前記タイルの硬度及び剛性をさらに向上させ、それによって各タイルのとがった頂点の脆弱性は低下し、それによって、前記タイルは、シェブロン模様を実現するための平行四辺形／菱形タイルとして用いるためにさらにより適切なものになる。ポリ塩化ビニル（ＰＶＣ）発泡体材料は、前記発泡体基層を形成するためにとりわけ適切であるが、その理由は、それらが、化学的に安定であり、耐食性があり、優れた難燃特性を有するからである。前記基層中の発泡体可塑性材料として用いられる前記可塑性材料は、前記基層の所望の剛性を増加させるために、好ましくはいずれの可塑剤も含まないが、このことは、その上、環境的観点からも好ましい。好ましくは、前記基層の複合体は、３５〜５０％の間、より好ましくは４０〜４５％の間の熱可塑性材料、特にＰＶＣを含む。
【００２４】
前記基層は、（ＰＶＣを含まない）熱可塑性組成物から少なくとも部分的に構成されてもよい。この熱可塑性組成物は、（ａ）少なくとも一つのイオノマー及び／又は少なくとも一つの酸コポリマーと、（ｂ）少なくとも一つのスチレン系熱可塑性ポリマー及び、所望により、少なくとも一つの充填剤と、を含むポリマーマトリックスを含んでもよい。イオノマーは、電気的に中性の及びイオン化された単位の繰り返し単位を含むコポリマーであると考えられる。イオノマーのイオン化単位は、特に、金属カチオンで部分的に中和されたカルボン酸基であってもよい。通常は少量（典型的には１５モル％未満の構成単位）で存在するイオン基は、連続ポリマー相からのイオンドメインのミクロ相分離を引き起こし、物理的架橋として作用する。結果は、従来の可塑物質と比較して増強された物性を有するイオンによって強化された熱可塑性物質である。
【００２５】
前記基層の前記複合体は、好ましくは、一つ以上の充填剤を含み、少なくとも一つの充填剤は、タルク、チョーク、木材、炭酸カルシウム、二酸化チタン、か焼クレー、磁器、一つの（他の）無機充填剤及び一つの（他の）天然充填剤からなる群から選択される。好ましくは上記の群から選択される前記充填剤は、繊維によって形成されてもよく、且つ／又はダスト状粒子によって形成されてもよい。ここで、「ダスト」という表現は、木材ダスト、コルクダスト、又は無機ダスト、石粉末、特にセメントなどの非木材ダストなどの小さいダスト状粒子（粉末）であると考えられる。前記ダストの平均粒径は、好ましくは１４〜２０ミクロンの間、より好ましくは１６〜１８ミクロンの間である。この段落において記載される通りの（この種の）充填剤の主要な役割は、前記基層と、充分な硬度のこのような前記（一つ又は複数の）平行四辺形／菱形タイルとを提供することである。このことによって、それらの（一般に比較的脆弱な）とがった頂点を含む前記タイルが、信頼性があり且つ耐久性のある様式でシェブロン模様を実現することが可能になる。その上、この種の充填剤は、典型的には、そのような前記基層及び前記（一つ又は複数の）タイルの衝撃強度も向上させることになる。前記複合体中におけるこの種の充填剤の重量含有率は、前記複合体が発泡複合体である場合、好ましくは３５〜７５％の間、より好ましくは４０〜４８％の間、最も好ましくは４５〜４８％の間であり、前記複合体が非発泡（中実）複合体である場合、より好ましくは６５〜７０％の間である。
【００２６】
特に好ましい実施形態において、前記基層の前記複合体は、４０〜４５重量％のＰＶＣと、４５〜４８重量％の無機充填剤、特に炭酸カルシウム（チョーク）とを含む。研究によって、材料及び材料範囲のこの組み合わせが、硬度（堅牢性／剛性）及び可撓性に関して前記基層に優れた特性を提供して、使用中、特に連結中における前記パネルの破壊のリスクをさらに低下させることが示された。より高い含有率の炭酸カルシウム（４８％超）によって、典型的には、むしろ容易に破損し得る脆弱な組成物となり、一方でより低い含有率の炭酸カルシウム（４５％未満）によって、典型的には、前記パネルが適切な様式で機能するにはあまりに可撓性であり過ぎるあるが、充分に硬質（剛性）ではない複合体となる。より低い含有率のＰＶＣ（４０％未満）によって、典型的には、前記パネルが適切に機能するにはあまりに剛性であり過ぎる複合体となり、その上、ＰＶＣが結着剤（結着マトリックス）として作用する場合、そのような比較的低い含有率は、典型的には、そのような前記複合体の適切で且つ安定した結着に影響を及ぼす。好ましくは、前記複合体中に存在する前記改質剤、好ましくはＭＭＡの重量含有率は、２〜５％の間、より好ましくは３〜４％の間にある。
【００２７】
本発明にかかる前記タイルシステムの代替的構成において、各タイルは、少なくとも一つの可塑性材料と少なくとも一つの充填剤とを含む非発泡（中実）複合体で少なくとも部分的に作製された実質的に剛性の基層を含む。中実の基層は、タイル強度の向上につながり、ゆえに、前記とがった頂点の脆弱性の低下につながり、前記タイルを使用するための適合性をさらに向上させて、シェブロン模様を実現することができる。前記基層中における発泡複合体の代わりに前記基層中における中実複合体を適用することの欠点は、（同一の厚さの基層が適用される場合）タイル重量が増加し、それによって、取り扱いコストがより高くなり、材料コストがより高くなるということである。
【００２８】
好ましくは、前記基層の前記複合体は、塩、ステアリン酸塩、ステアリン酸カルシウム及びステアリン酸亜鉛からなる群から選択される前記基層の少なくとも一つの充填剤を含む。ステアリン酸塩は、安定剤の機能を有し、発泡剤活性化剤として作用して、より有益な処理温度をもたらすことが可能であり、処理中及び処理後における前記複合体の成分の分解を防止し、ゆえに、それによって、長期安定性が得られる。ステアリン酸塩の代わりに、又はステアリン酸塩に加えて、例えば、安定剤としてカルシウム亜鉛又は酸化亜鉛を用いてもよい。前記複合体中における前記（一つ又は複数の）安定剤、特にステアリン酸亜鉛の重量含有率は、好ましくは１〜５％の間、より好ましくは１．５〜４％の間、最も好ましくは１〜２％の間である。
【００２９】
前記基層の前記複合体は、好ましくは、少なくとも一つのアルキルメタクリレートを含む少なくとも一つの衝撃改質剤を含み、前記アルキルメタクリレートは、好ましくは、メチルメタクリレート、エチルメタクリレート、プロピルメタクリレート、イソプロピルメタクリレート、ｔ−ブチルメタクリレート及びイソブチルメタクリレートからなる群から選択される。前記衝撃改質剤は、典型的には、生成物性能、特に耐衝撃性を向上させる。その上、前記衝撃改質剤は、典型的には前記基層を強化し、ゆえに、破壊のリスクをさらに低下させる強化剤であるとみなすことも可能である。多くの場合、前記改質材は、例えば、すでに上記で言及されたように、比較的安定した（一定の）発泡体構造を有する発泡体の形成を制御するために、製造プロセスも容易にする。前記複合体中における前記衝撃改質剤の重量含有率は、好ましくは１〜９％の間、より好ましくは３〜６％の間である。好ましくは、前記実質的に完全な基層は、前記発泡複合体によって形成される。
【００３０】
前記基層中で用いられる少なくとも一つの可塑性材料は、前記基層の所望の剛性を増加させるために、好ましくはいずれの可塑剤も含まないが、このことは、その上、環境的観点からも好ましい。
【００３１】
前記発泡体基層の密度は、典型的には、約０．１〜１．５グラム／ｃｍ３、好ましくは約０．２〜１．４グラム／ｃｍ３、より好ましくは約０．３〜１．３グラム／ｃｍ３、さらにより好ましくは約０．４〜１．２グラム／ｃｍ３、さらにより好ましくは約０．５〜１．２グラム／ｃｍ３、最も好ましくは約０．６〜１．２グラム／ｃｍ３で変化する。好ましくは、前記発泡体は、少なくともその中心部分内で、且つ、おそらく上部分及び底部分において、比較的均一な（独立又は連続）気泡分布を有する。前記発泡体基層の前記上部分及び前記底部分は、前記発泡体基層の前記中心部分よりも大きい密度を有してもよい。
【００３２】
前記基層内で用いられる前記可塑性発泡体は、好ましくは、（摂氏２３度の温度及び５０％の相対湿度で）７００ＭＰａ超の弾性係数を有する。これは、一般に充分に剛性を前記基層に与え、ゆえに、そのような前記平行四辺形／菱形タイルに与える。
【００３３】
前記基層の密度は、好ましくは、前記基層の高さに沿って変化する。このことは、そのような前記タイルの音響（音抑制）特性に良い影響を及ぼす可能性がある。好ましくは、前記発泡基層の最上部（最上部分）及び／又は底部（底部分）において、クラスト層が形成されてもよい。この少なくとも一つのクラスト層は、前記基層の一体部分を形成し得る。より好ましくは、前記基層の前記最上部及び前記底部の両方は、前記発泡体構造を囲むクラスト層を形成する。前記クラスト層は、比較的閉じられており（多孔度が低下しているか、又はさらに泡（気泡）を含まない）、ゆえに、前記より多孔性の発泡体構造と比較して、比較的剛性の（副）層を形成する。一般に、必要ではないが、前記クラスト層は、前記コア層の底面及び上面を封止する（焼く）ことによって形成される。好ましくは、各クラスト層の厚さは、０．０１〜１ｍｍの間、好ましくは０．１〜０．８ｍｍの間、より好ましくは０．４〜０．６ｍｍの間である。あまりに厚いクラストは、前記コア層のコスト及び剛性の両方を増加させる前記コア層のより高い平均密度につながる。前記発泡基層の中心部（中心部分）は、両クラスト層によって囲まれる。好ましくは、前記中心部の厚さは、クラスト層の厚さの少なくとも４０％、より好ましくは少なくとも５０％である。概して、前記発泡基層又は（例えば、前記基層の前記中心部分の中における）少なくともその一部の平均気泡サイズは、好ましくは６０〜１４０ミクロンの間、より好ましくは８０〜１２０ミクロンの間であることが示される。好ましくは、前記発泡基層又は（例えば、前記基層の前記中心部分の中における）少なくともその一部の気泡サイズは、６０〜１４０ミクロン、より好ましくは８０〜１２０ミクロンの範囲の比較的狭い気泡分布を有する。この狭い気泡分布は、例えば、発泡剤の組み合わせを用いることによって得られ得、前記発泡剤の分解温度は相互に異なる。
【００３４】
そのような前記基層（コア層）の厚さは、好ましくは２〜１０ｍｍの間、より好ましくは３〜８ｍｍの間、典型的には約４又は５ｍｍである。好ましくは、前記（複合体）基層の最上部及び／又は底部は、前記基層の前記独立気泡発泡体可塑性材料の多孔度未満である多孔度を有するクラスト層を形成し、各クラスト層の厚さは、好ましくは０．０１〜１ｍｍの間、好ましくは０．１〜０．８ｍｍの間である。好ましくは、各タイルは、前記基層の底側に付着された少なくとも一つのバッキング層を含み、前記少なくとも一つのバッキング層は、可撓性材料、好ましくはエラストマーで少なくとも部分的に作製される。前記バッキング層の厚さは、典型的には、約０．１〜２．５ｍｍで変化する。前記バッキング層が作製され得る材料の非限定的な例としては、ポリエチレン、コルク、ポリウレタン及びエチレン酢酸ビニルがある。ポリエチレンバッキング層の厚さは、例えば、典型的には、２ｍｍ以下である。前記バッキング層は、一般に、そのような各タイルにさらなる堅牢性及び耐衝撃性を提供し、それによって前記タイルの耐久性が増大する。その上、前記（可撓性）バッキング層は、前記タイルの音響（音抑制）特性を増大させる可能性がある。特定の実施形態において、前記基層は、前記少なくとも一つのバッキング層に付着された複数の別々の基層セグメントから構成され、その結果、好ましくは、前記基層セグメントは相互にヒンジ可能である。タイルの軽量の特徴は、垂直の壁面上に前記タイルを設置する場合に安定した結合を得るために有利である。交差する壁の内側コーナなどの垂直のコーナ、家具の部分、入り口用通路などの外側コーナに前記タイルを設置することも、とりわけ容易である。内側コーナ又は外側コーナにおける設置は、前記タイルの前記発泡体基層内に溝を形成して、前記タイルの曲げ又は折りたたみを容易にすることによって達成される。
【００３５】
少なくとも一つの補強層が、前記基層と前記上側基板との間にあってもよい。このことは、そのような前記タイルの剛性のさらなる向上につながる可能性がある。このことは、前記タイルの音響（音抑制）特性の向上につながる可能性もある。前記補強層は、織布繊維材料又は不織布繊維材料、例えば、ガラス繊維材料を含んでもよい。それらは、０．２〜０．４ｍｍの厚さを有してもよい。各タイルが互いの最上部の上に積層された複数の（一般により薄い）基層を含み、所望により、少なくとも一つの補強層が二つの隣接する基層の間にあることも考えられる。好ましくは、前記補強層の密度は、好ましくは、１．０００〜２．０００ｋｇ／ｍ３の間、好ましくは１．４００〜１．９００ｋｇ／ｍ３の間、より好ましくは１．４００〜１．７００ｋｇ／ｍ３の間である。
【００３６】
前記基層が互いの最上部の上に積層された複合層の積層体を含むことも考えられる。そのような多層基層は、例えば、共押出によって形成されてもよい。前記基層の異なる複合層は、異なる組成を有してもよい。しかし、前記基層の前記異なる層の組成が同一であるが、異なる層の構造が異なることも考えられる。例えば、前記基層の少なくとも一つの複合層が（むしろ）中実構造を有し、一方で前記基層の少なくとも一つの他の複合層が発泡体構造を有することが考えられる。特に、前記多層基層が少なくとも一つの発泡体複合層を囲む少なくとも二つの中実複合層を含むことが考えられ、このことは好ましい可能性もある。
【００３７】
好ましくは、前記完全第１機械的連結手段及び／又は前記完全第２機械的連結手段は、前記基層に一体的に接続される。このことは、前記第１機械的連結手段及び／又は前記完全第２機械的連結手段が、前記基層内に一体的に形成され、且つ／又は前記基層によって形成されると理解され得る。
【００３８】
すでに上記で言及されたように、前記第３連結プロファイル及び／又は前記第４連結プロファイルは主に剛性であるが、前記第３連結プロファイル及び／又は前記第４連結プロファイルによって結合及び離脱の間における（わずかな）変形が可能になり、それによって結合及び離脱が著しく容易になる。
【００３９】
結合及び離脱の間、前記連結部分は、それらの最も弱い部分において、又はその中において、一般に傾斜して変形する。このために、前記第１連結部分及び前記第２連結部分の内の少なくとも一つの連結部分は、好ましくは、前記連結素子の前記トングを前記基層に接続する架橋を含み、前記架橋の最小厚さは、前記トングの最小幅よりも小さい。このことによって、前記トング自体ではなく、前記（一つ又は複数の）架橋は、結合及び離脱の間にわずかに変形させられるが、このことは、一般に、前記トングの耐久性（及び形状安定性）、ゆえに、二つのタイルの間に実現される前記結合の耐久性及び信頼性のためである。
【００４０】
前記下向き溝の上側（上側表面）を規定する前記第２連結部分の上側架橋の下側（下側表面）は、少なくとも部分的に傾斜してもよく、好ましくは、前記タイルの前記コアの方へ下向きに延びる。前記上向きトングの前記上側（上側表面）は、同様に、少なくとも部分的に傾斜してもよく、前記上向きトングのこの上側の傾きと前記第２連結部分の前記上側架橋の傾きとが同一でもよいが、両傾きは、例えば、相互に０〜５度の間の角度を囲むことも考えられる。前記第２連結部分の前記架橋部分の傾きによって、変形が起こる可能性がある前記架橋部分の固有の脆弱化領域が生じる。
【００４１】
前記上向きトング及び前記下向きトングの各々は、好ましくは、実質的に剛性であり、このことは、前記トングが変形するように構成されないことを意味する。そのような前記トングは、比較的硬く、ゆえに非可撓性である。その上、前記トングは、好ましくは、実質的に中実であり、このことは、前記トングが、実質的に塊状であり、したがって材料で完全に充填され、ゆえに上側表面に溝を有さず、それによって前記トングの構築が脆弱化し、ゆえに実現されるタイル接続の構築が脆弱化することを意味する。剛性で中実のトングを適用することによって、比較的堅固で耐久性のあるトングが得られ、それによって、耐久性のある接続を実現するために、別々の、さらなる構成要素を使用することなく、信頼性があり且つ耐久性のあるタイル接続を実現することができる。
【００４２】
前記タイルの実施形態において、前記タイルの前記上側に隣接する前記上向きフランクの少なくとも一部は、これらのタイルの連結状態で別のタイルの前記上側に隣接する前記下向きトングの少なくとも一部に接触するように適合される。これらの表面の係合によって、前記連結部分の間の有効接触表面の増加が生じることになり、ゆえに、二つのタイル間の接続の安定性及び頑丈の増加が生じることになる。好ましい実施形態において、前記タイルの前記上側は、別のタイルの前記上側に実質的に継ぎ目なしで係合するように適合され、その結果、二つのタイル、特にその前記上側表面の間の継ぎ目のない接続が実現され得る。
【００４３】
別の実施形態において、前記第１係止素子は、前記上向きトングの上側から距離をおいて位置する。このことは有利であるが、その理由は、このことによって、一般に、前記第１係止素子が前記タイルの上向き配置端部よりも低いレベルに位置する状況になり、このことには前記第２連結部分の最大変形を低下させる可能性があるという利点があるが、一方で、接続プロセス及び変形プロセスを連続的ステップで実行することが可能であるからである。より少ない変形は、前記（一つ又は複数の）連結部分の、ゆえに前記（一つ又は複数の）タイルの寿命のためになるより少ない材料ストレスにつながる。本実施形態において、前記第２係止素子は、前記下向き溝の上側から距離をおいて相補的に位置する。
【００４４】
さらに別の実施形態において、前記下向き配置端部の有効高さは、前記上向きトングの有効高さよりも高い。このことによって、一般に、タイルの前記下向き配置端部が配置前状態（中間状態）の場合に別のタイルに係合しない状況が生じる。位置選択的非接触プレアライメントは、前記タイルを損傷させる可能性がある、別のタイルの前記上側表面に沿ってタイルの下向き配置端部を生じさせることを阻止又は防止する。
【００４５】
実施形態において、前記上向きフランクに対向する前記上向きトングの側面の少なくとも一部及び前記上向きフランク（及び／又は前記基層の前記上側の法線）によって囲まれる前記相互角度は、前記下向きフランクに対向する前記下向きトングの側面の少なくとも一部及び前記下向きフランク（及び／又は前記基層の前記下側の法線）によって囲まれる前記相互角度に実質的に等しい。それによって、前記二つのトング部分の互いへの締り嵌め接続を実現することが可能であり、このことによって、概して、前記二つのタイルの間の結合の堅固さが増強される。実施形態の変形例において、一方で、前記上向きフランクに対向する前記上向きトングの側面の少なくとも一部が延びる前記方向、及び他方で、前記上向きフランク、及び／又は前記基層の前記上側の前記法線によって囲まれる前記角度が、０〜６０度の間、特に０〜４５度の間、より詳細には０〜１０度の間である。別の実施形態の変形例において、一方で、前記下向きフランクに対向する前記下向きトングの側面の少なくとも一部が延びる前記方向、及び他方で、前記下向きフランク、及び／又は前記基層の前記下側の前記法線によって囲まれる前記角度が、０〜６０度の間、特に０〜４５度の間、より詳細には０〜１０度の間である。前記フランクに対向する前記トング側面の最終的な傾きは、通常、前記タイルを製造するために適用される製造手段にも依存する。実施形態において、前記下方配置端部の傾きは、前記上向きフランクの少なくとも上側部分の傾き未満であり、その結果、膨張チャンバが両表面の間に形成され、このことは、遊びを可能にして、例えば前記タイルによる吸湿による膨張を補償するために良好となる。
【００４６】
変形例において、前記上向きトングの上側の少なくとも一部は、前記基層の前記上側の前記法線の方への方向に延びる。この結果、前記上向きトングの厚さは、前記上向きフランクから離れて対向する前記トングの前記側面の前記方向に減少する。前記下向き溝の上側が前記基層の前記下側の前記法線の前記方向に延びる本発明にかかる二つのタイルの結合位置において、前記上向きトングの前記上側に前記下向き溝を実質的に接続させることによって、一方では、比較的強固で中実であり、他方では、隣接するタイルの第１連結部分への結合を実現すること可能にするための充分な弾力性を保証することができる第２連結部分を提供することができる。
【００４７】
前記配置端部は、二つのタイルを連結するプロセスの間の別の連結部分の誘導が概してできるだけ制御された様式で進行することを可能にするように、好ましくは平坦表面によって形成される。しかし、丸い配置端部の適用も考えられる。別の実施形態の変形例において、前記第２連結部分の前記配置端部の少なくとも一部は、前記第１連結部分の前記上向きフランクの少なくとも一部よりも実質的に平坦な配向性を有する。この方策を適用することによって、前記第２連結部分の前記配置端部と前記第１連結部分のフランクとの間のエアギャップが概して結合位置において発生する。前記二つの連結部分の間に意図的に発生させたこの間隙は、隣接するタイルの結合中において通常有利であるが、その理由は、この間隙が前記連結部分の一時的変形を阻止せず、このことによって前記連結部分の連結が容易になるからである。さらに、発生させた前記間隙は、例えば環境的な温度変化から生じる前記タイルの膨張を吸収する目的ために有利である。
【００４８】
実施形態の変形例において、前記基層に接続する前記第１連結部分の前記上向きフランクの一部は、前記下向きフランクから離れて対向する前記下向きトングの前記側面の少なくとも一部のための停止面を形成する。このようにして、前記タイルの少なくとも前記上側の締り嵌めを実現することが可能であり、このことは、通常、使用者の視点から有利である。前記基層に接続する前記第１連結部分の前記上向きフランクの一部は、ここで好ましくは、実質的に垂直に方向づけられる。前記下向きフランクから離れて対向する前記下向きトングの前記側面の少なくとも一部も、ここで好ましくは、実質的に垂直に方向づけられる。両連結部分における実質的に垂直の停止表面を適用することには、結合位置において前記連結部分が比較的締り嵌めで堅固な様式で互いに接続し得る効果がある。
【００４９】
隣接するタイルの下向きトングをクランプ嵌合によって収容するように前記上向き溝を適合させることは、概して有利である。前記下向きトングにおいてクランプ嵌合によって前記上向き溝又はその少なくとも一部を収容することには、前記下向きトングが前記上向き溝によって比較的締り嵌めで囲まれ、このことによって、通常、連結された構築物の堅固さが増強されるという効果がある。同じことは、前記下向き溝が隣接するタイルの上向きトングをクランプ嵌合によって収容するために適合される実施形態の変形例について当てはまる。
【００５０】
実施形態の変形例において、前記上向きフランク及び前記下向きフランクは、実質的に平行の方向に延びる。このことによって、前記フランク及び前記係止素子を結合位置において互いに比較的密接して接続することが可能になり、それによって、前記係止素子によって実現される係止効果が概して増強される。
【００５１】
別の実施形態の変形例において、前記第１係止素子は、適用される場合、少なくとも一つの外側バルジを含み、前記第２係止素子は、適用される場合、少なくとも一つの凹部を含み、前記外側バルジは、係止結合を実現する目的のために、隣接する連結タイルの凹部内に少なくとも部分的に収容されるように適合される。この実施形態の変形例は、概して、生産工学の観点から有利である。前記第１係止素子及び前記第２係止素子は、好ましくは、相補的形態を取ることによって、隣接するタイルの係止素子の互いへの形態嵌合接続が実現されることになり、このことによって前記係止の有効性が増強される。あるいは、前記第２係止素子は、少なくとも一つの外側バルジを含み、前記第１係止素子は、少なくとも一つの凹部を含み、前記外側バルジは、係止結合を実現する目的のために、隣接する連結タイルの凹部内に少なくとも部分的に収容されるように適合される。前記第１係止素子及び前記第２係止素子は、バルジ−凹部の組み合わせによって形成されないが、共同作用するプロファイル表面及び／又は高摩擦接触表面の別の組み合わせによって形成されることも考えられる。この後者の実施形態において、前記第１係止素子及び／又は前記第２係止素子は、係合（連結）状態の別のタイルの他の係止素子との摩擦が生じるように構成された、所望により別々の可塑性の材料から構成される（それ以外の場合、平坦形状の）接触表面によって形成され得る。
【００５２】
摩擦を生じるために適切な可塑物質の例としては、以下の物質が挙げられる。
アセタール（ＰＯＭ）（良好な耐クリープ性を有すると共に、剛性で且つ強固である。それは、低摩擦係数を有し、高温で安定したままであり、良好な耐温水性を提供する）；
ナイロン（ＰＡ）（ほとんどのポリマーよりも多くの水分を吸収し、それが水分を吸収すると衝撃強度及び一般的エネルギー吸収性質が実際に向上する。ナイロンは、低摩擦係数、良好な電気物性及び良好な耐化学性も有する）；
ポリフタルアミド（ＰＰＡ）（この高性能ナイロンは、向上した温度耐性及びより低い吸湿性を有する。それは、良好な耐化学性も有する）；
ポリエーテルエーテルケトン（ＰＥＥＫ）（高強度と組み合わされた良好な耐化学性及び耐炎性を有すると共に、高温度熱可塑性である。ＰＥＥＫは、航空宇宙産業において好ましい）；
ポリフェニレンスルフィド（ＰＰＳ）（耐化学性、耐高温性、難燃性、流動性、寸法安定性及び良好な電気特性を含む特性のバランスを提供する）；
ポリブチレンテレフタレート（ＰＢＴ）（寸法的に安定しており、良好な電気特性を有すると共に、高い耐熱性及び耐化学性を有する）；
熱可塑性ポリイミド（ＴＰＩ）（良好な物理的、化学的及び耐摩耗性特性を有すると共に、固有に難燃性である）；
ポリカーボネート（ＰＣ）（良好な衝撃強度、高耐熱性及び良好な寸法安定性を有する。ＰＣは、良好な電気特性も有し、水及び無機酸又は有機酸中において安定している）；及び
ポリエーテルイミド（ＰＥＩ）（高温における強度及び剛性を維持する。それは、良好な長時間耐熱性、寸法安定性、固有の難燃性、耐炭化水素性、耐アルコール性及びハロゲン化溶媒に対する耐性も有する）
【００５３】
（所望により）摩擦を低下させるある種の添加剤を用いることによって、上記のポリマーの内の多くの性能を増強させることもできる。高摩擦ポリマー材料は、例えば、（別々の）材料帯板として適用されてもよい。この高い摩擦ポリマー材料の適用によって、前記上向きトング及び前記下向きフランクの遠隔側（外側）は、実質的に平坦な意匠を有することが可能になる。
【００５４】
本発明にかかる前記タイルの実施形態において、前記第１係止素子は、前記上向きトングの上側から距離をおいて位置する。前記上向きトングの前記上側から距離をおいて前記第１係止素子を位置決めすることには、多くの長所がある。第１の長所は、前記第１係止素子のこの位置決めによって、隣接するタイルの間の前記連結が容易になる可能性があるということであり、その理由は、前記第１係止素子が前記上向きトングの前記配置端部よりも低く位置する（下側部分）ことによって、二つの連結部分間の前記結合が段階的に行われ得るからである。前記連結プロセスの間、関連する前記フランクに対向する前記トング側面がまず互いに係合し、その後、前記係止素子が互いに係合するが、このことは、前記第１配置端部及び前記第１係止素子がある程度同じ高さで位置する場合よりも概してあまり大きくない最大旋回（振幅）を必要とし、それによって隣接するタイルの第２連結部分の変形が生じる。前記上向きトングの上側から距離をおいて前記第１係止素子を位置決めするさらなる長所は、概して各連結部分の弾性的架橋によって形成される各連結部分と前記基層との間の弾性的接続までの距離が増加することによって、前記連結部分に及ぼされるトルクを前記係止素子によって比較的迅速に補償することが可能であり、それによって前記係止の信頼性がさらに増強され得るということである。前記第１係止素子及び第２係止素子を適用しない場合、前記上向フランクから離れて対向する前記上向きトングの側面は、隣接するタイルの連結状態において前記下向きフランクから距離をおいて位置することが有利であり得る。
【００５５】
好ましい実施形態において、前記下向きフランクから離れて対向する前記下向きトングの側面は第３係止素子を有し、前記上向きフランクは第４係止素子を有し、前記第３係止素子は、別のタイルの第４係止素子と協働するように適合される。このことによって、前記連結の安定性及び信頼性をさらに向上させることが可能なさらなる内側係止機構が得られる。また、本実施形態において、前記第３（又は第４）係止素子は、一つ以上のバルジによって形成されてもよく、前記第４（又は第３）係止素子は、隣接するタイルの連結状態において前記バルジと相互作用するために適合される、より相補的な凹部の内の一つによって形成されてもよい。好ましくは、二つのタイルの連結状態における前記第３係止素子と前記第４係止素子との間の前記相互作用は、前記タイルによって規定された平面に対する角度Ａ１を囲む接平面Ｔ１を規定し、前記角度Ａ１は、前記タイルによって規定された前記平面と、前記上向きフランクに対向する前記上向きトングの側面の傾斜部分と前記下向きフランクに対向する前記下向きトングの側面の傾斜部分との間の相互作用によって規定される接平面Ｔ２とによって囲まれた角度Ａ２よりも小さい。より好ましくは、角度Ａ１と角度Ａ２との間の最大差は５〜１０度の間である。前記下向きトングの上側端部と前記基層の下側との間の最短距離が平面を規定し、前記第３係止素子と前記下向きトングの少なくとも一部とが前記平面の反対側に位置することが考えられる。この場合、前記第３係止素子は、前記タイルの上部又は上側表面によって規定される前記タイル端部に対して突出する。ここで、前記第３係止素子は、連結状態において隣接するタイル内に突出してもよく、それによって前記タイル連結はさらに向上し得る。前記係止表面と前記タイルの上側との間の最小距離が、前記上向きトングの上側と前記タイルの前記上側との間の最小距離よりも小さい場合、有利である。このことによって、前記第２（又は第１）連結部分の最大変形が減少し、前記接続プロセス及び前記変形プロセスが連続的ステップで実行され得る。より少ない変形は、前記（一つ又は複数の）連結部分の、ゆえに前記（一つ又は複数の）タイルの寿命のためになるより少ない材料ストレスにつながる。
【００５６】
「第１」、「第２」、「第３」及び「第４」などの本文献で用いられる順序数は、識別目的のためだけに用いられる。ゆえに、「第３係止素子」及び「第４係止素子」という表現の使用は、「第１係止素子」及び「第２係止素子」の共存を必ずしも必要とするというわけではない。
【００５７】
本発明は、本発明にかかる相互に連結されたタイルからなるタイルカバー、特に床カバー、壁カバー、天井カバー及び／又は家具カバーにも関する。本発明は、本発明にかかる多目的タイルシステムにおける使用のためのタイルにも関する。
【００５８】
本発明の好ましい実施形態は、以下の非限定的な条項において示される。
【００５９】
条項
１．複数の多目的タイル、特に床タイルを含む多目的タイルシステム、特に床タイルシステムであって、タイルが、シェブロン模様で接合されるように構成され、各タイルが、
第１端部と反対側の第２端部とからなる第１対の対向端部と、
第３端部と対向する第４端部とからなる第２対の対向端部と、を含み、
前記第１端部及び前記第３端部が第１鋭角を囲み、前記第２端部及び前記第４端部が前記第１鋭角に対向する第２鋭角を囲み、前記第２端部及び前記第３端部が第１鈍角を囲み、前記第１端部及び前記第４端部が前記第１鈍角に対向する第２鈍角を囲み、
前記第１対の対向端部が、
前記タイルの上側に実質的に平行な方向に延びる横向きトングを含む第１連結プロファイルと、
さらなるタイルの横向きトングの少なくとも一部を収容するために構成された凹部を含む対向する第２連結プロファイルであって、前記凹部が上側リップ及び下側リップによって規定され、第１機械的連結プロファイルが、内側に角度を向けることによって前記タイルを共に係止することを可能にすることによって、前記横向きトングの少なくとも一部が前記凹部によって収容される、対向する第２連結プロファイルと、を含む、少なくとも垂直に、好ましくは水平にも前記タイルを共に係止するための対向する第１機械的連結手段の対を有し、
前記第２対の対向端部が、
上向きトングと、前記上向きトングから距離をおいて存在する少なくとも一つの上向きフランクと、前記上向きトングと前記上向きフランクとの間に形成された上向き溝とを含む第３連結プロファイルであって、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含む、第３連結プロファイルと、
下向きトングと、前記下向きトングから距離をおいて存在する少なくとも一つの下向きフランクと、前記下向きトングと前記下向きフランクとの間に形成された下向き溝とを含む第４連結プロファイルであって、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記少なくとも一つの第１係止素子との相互作用のために適合し、第２機械的連結プロファイルが、タイルの前記第１連結プロファイルと別のタイルの前記第２連結プロファイルとを内側に角度を向ける間に前記タイルを共に係止することを可能にし、連結対象の前記タイルの前記第４連結プロファイルによって、前記第３連結プロファイル及び前記第４連結プロファイルの係止をもたらすさらに別のタイルの前記第３連結プロファイルの方へのシザリング移動が生じる、第４連結プロファイルと、を含む、垂直且つ水平に前記タイルを共に係止するための対向する第２機械的連結手段の対を有し、
各タイルが、少なくとも一つの可塑性材料と少なくとも一つの充填剤とを含む発泡複合体で少なくとも部分的に作製された実質的に剛性の基層を含む、多目的タイルシステム。
【００６０】
２．前記タイルシステムが二つの異なる型のタイル（それぞれＡ及びＢ）を含み、前記第１対の対向端部に沿った一方の型のタイルの前記第１機械的連結手段が、他方の型のタイルの同一の前記第１対の対向端部部分に沿った前記対応する第１機械的連結手段に対してミラー反転様式で配置される、条項１に記載のタイルシステム。
【００６１】
３．少なくとも一つのタイルが、
前記第１連結プロファイルが前記第１端部に配置され、
前記第２連結プロファイルが前記第２端部に配置され、
前記第３連結プロファイルが前記第３端部に配置され、
前記第４連結プロファイルが前記第４端部に配置される、構成を有する、条項１または２に記載のタイルシステム。
【００６２】
４．少なくとも一つのタイルが、
前記第１連結プロファイルが前記第２端部に配置され、
前記第２連結プロファイルが前記第１端部に配置され、
前記第３連結プロファイルが前記第３端部に配置され、
前記第４連結プロファイルが前記第４端部に配置される、構成を有する、条項１〜３の何れか一項に記載のタイルシステム。
【００６３】
５．前記第１連結プロファイルが、前記タイルの前記上側に実質的に平行な方向に延びる横向きトングを含み、前記横向きトングの底部前部領域、前記トングの底部後部領域がベアリング領域として構成され、前記底部後部領域が、前記底部前部領域の最下部よりも前記タイルの上側のレベルに近くに位置し、
前記第２連結プロファイルが、さらなるタイルの前記横向きトングの少なくとも一部を収容するための凹部を含み、前記凹部が上側リップ及び下側リップによって規定され、前記下側リップが、前記横向きトングの前記ベアリング領域を支持する且つ／又は対向するための上方突出肩部を有し、係止が、前記横向きトング、さらなるタイルの前記凹部内への導入移動と、前記第１連結プロファイルに平行な軸線の周りの下に角度を向ける移動とによって起こるように、前記横向きトングが設計され、その結果、前記横向きトングの最上部側が前記上側リップに係合することになり、前記横向きトングの前記ベアリング領域が前記下側リップの肩部に支持され、且つ／又は対向することになり、それによって、水平方向及び垂直方向の両方における前記第１端部及び前記第２端部における隣接するタイルの係止が生じる、条項１〜４の何れか一項に記載のタイルシステム。
【００６４】
６．前記第３連結プロファイルが、上向きトングと、前記上向きトングから距離をおいて存在する少なくとも一つの上向きフランクと、前記上向きトングと前記上向きフランクとの間に形成された上向き溝とを含み、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含み、
前記第４連結プロファイルが、下向きトングと、前記下向きトングから距離をおいて存在する少なくとも一つの下向きフランクと、前記下向きトングと前記下向きフランクとの間に形成された下向き溝とを含み、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記第３連結プロファイルの前記少なくとも一つの第１係止素子との相互作用のために適合し、
前記第３連結プロファイル及び前記第４連結プロファイルが、前記第１連結プロファイルにおける連結対象のタイルの角度をさらなるタイルの前記第２連結プロファイルに下げる間に係止が起こるように設計され、水平方向及び垂直方向の両方における前記第３連結プロファイル及び前記第４連結プロファイルにおける隣接するタイルの係止につながる、前記第３連結プロファイル及び／又は連結プロファイル端部の変形によって、連結対象の前記タイルの前記第４連結プロファイルの前記下向きトングが前記別のタイルの前記第３連結プロファイルの前記上向き溝内に圧入され、前記別のタイルの前記上向きトングが連結対象の前記タイルの前記下向き溝内に圧入されるように、連結対象の前記タイルの前記第４連結プロファイルが、さらに別のタイルの第３連結プロファイルの方へのシザリング移動を生じる、条項１〜５の何れか一項に記載のタイルシステム
【００６５】
７．タイルの前記第１端部の長さ及び前記第２端部の長さが実質的に同一である、条項１〜６の何れか一項に記載のタイルシステム。
【００６６】
８．タイルの前記第１端部の前記長さ及び前記第２端部の前記長さが、前記タイルの前記第３端部及び前記第４端部の前記長さよりも長い、条項１〜７の何れか一項に記載のタイルシステム。
【００６７】
９．前記第１鋭角及び前記第２鋭角が、３０〜６０度の間であり、好ましくは実質的に４５度である、条項１〜８の何れか一項に記載のタイルシステム。
【００６８】
１０．前記第１鈍角及び前記第２鈍角が、１２０〜１５０度の間であり、好ましくは実質的に１３５度である、条項１〜９の何れか一項に記載のタイルシステム。
【００６９】
１１．少なくとも一つのタイルが、前記基層の上側に付着させた少なくとも一つの上側基板を含み、前記上側基板が、好ましくは装飾層を含む、条項１〜１０の何れか一項に記載のタイルシステム。
【００７０】
１２．前記少なくとも一つの上側基板が、
装飾層と、
前記装飾層をカバーし、摩耗層の上面が前記タイルの前記上面であり、前記摩耗層が透明材料であり、その結果、装飾層が透明摩耗層を通して視認可能である、耐摩耗性摩耗層と、
所望により、前記装飾層と前記摩耗層との間にある透明仕上げ層と、を含む、条項１１に記載のタイルシステム。
【００７１】
１３．前記少なくとも一つの上側基板が、前記基層と前記装飾層との間にある背面層、好ましくは熱可塑性背面層を含む、条項１〜１２の何れか一項に記載のタイルシステム。
【００７２】
１４．前記上側基板が、金属、合金、ビニルモノマーコポリマー及び／又はホモポリマーなどの巨大分子材料；ポリエステル、ポリアミド、ポリイミド、エポキシ樹脂、フェノールホルムアルデヒド樹脂、尿素ホルムアルデヒド樹脂などの縮合重合体；植物繊維、動物繊維、鉱物繊維、セラミック繊維及び炭素繊維などの天然巨大分子材料又はそれらの改質誘導体、からなる群から選択される少なくとも一つの材料で少なくとも部分的に作製される、条項１１〜１３の何れか一項に記載のタイルシステム。
【００７３】
１５．前記ビニルモノマーコポリマー及び／又はホモポリマーが、ポリエチレン、ポリ塩化ビニル、ポリスチレン、ポリメタクリレート、ポリアクリレート、ポリアクリルアミド、ＡＢＳ、（アクリロニトリル−ブタジエン−スチレン）コポリマー、ポリプロピレン、エチレン―プロピレンコポリマー、ポリ塩化ビニリデン、ポリテトラフルオロエチレン、ポリフッ化ビニリデン、ヘキサフルオロプロペン及びスチレン−無水マレイン酸コポリマーからなる群から選択される、条項１４に記載のタイルシステム。
【００７４】
１６．前記少なくとも一つの上側基板が、接着剤によって前記基層の前記上側に付着される、条項１１〜１５の何れか一項に記載のタイルシステム。
【００７５】
１７．少なくとも一つのタイルが、前記基層の上側に付着される複数の帯板形状上側基板を含み、前記上側基板が、同一平面内に並んで、好ましくは平行構成で配置される、条項１１〜１６の何れか一項に記載のタイルシステム。
【００７６】
１８．前記複数の上側基板が、前記基層の上側表面を実質的に完全にカバーする、条項１７に記載のタイルシステム。
【００７７】
１９．前記複数の上側基板の各々が、前記タイルの前記第１端部から前記第２端部に延びる、条項１７または１８に記載のタイルシステム。
【００７８】
２０．前記複数の上側基板の各々が装飾層を含み、少なくとも二つの隣接して配置された上側基板の前記装飾層が異なる外観を有する、条項１７〜１９の何れか一項に記載のタイルシステム。
【００７９】
２１．各帯板形状上側基板が、前記基層と前記装飾層との間にある背面層を含む、条項１７〜２０の何れか一項に記載のタイルシステム。
【００８０】
２２．前記背面層の最上部分の幅が、前記背面層の底部分の幅よりも大きい、条項２１に記載のタイルシステム。
【００８１】
２３．少なくとも一つの帯板形状上側基板の対向する長手方向端部が、下向き方向に見られるように、内側に傾斜する、条項２１または２２に記載のタイルシステム。
【００８２】
２４．少なくとも二つの帯板形状上側基板の対向する長手方向端部が、最上部側の近くでベベルを有する条項１７〜２３の何れか一項に記載のタイルシステム。
【００８３】
２５．各ベベルが、前記装飾層をカバーする摩耗層の切取部分及び／又は刻印部分によって形成される、条項２４にかかるタイルシステム。
【００８４】
２６．各帯板形状上側基板が、プリント層を少なくとも部分的にカバーする実質的に透明又は半透明な三次元エンボス加工構造を含む、条項１〜２５の何れか一項に記載のタイルシステム。
【００８５】
２７．前記基層中の可塑性材料の重量割合が４０％〜４５％の間にある、条項１〜２６の何れか一項に記載のタイルシステム。
【００８６】
２８．少なくとも一つの充填剤が炭酸カルシウムであり、前記基層中の炭酸カルシウムの重量割合が４５％〜４８％の間にある、条項１〜２７の何れか一項に記載のタイルシステム。
【００８７】
２９．前記基層が発泡剤を含む、条項１〜２８の何れか一項に記載のタイルシステム。
【００８８】
３０．前記基層が、異なる分解温度で分解するように構成された少なくとも二つの異なる発泡剤を含む、条項２９にかかるタイルシステム。
【００８９】
３１．前記基層が、少なくとも一つの活性化発泡剤、好ましくは複数の活性化発泡剤、より好ましくは異なる分解温度で分解するように構成された少なくとも二つの異なる活性化発泡剤を含んでなる、条項２９または３０にかかるタイルシステム。
【００９０】
３２．前記基層が、少なくとも一つの吸熱性発泡剤、好ましくは重炭酸ナトリウム、及び少なくとも一つの発熱発泡剤、好ましくはアゾジカルボンアミド（ＡＣＤＡ）を含む、条項２９〜３１の何れか一項に記載のタイルシステム。
【００９１】
３３．前記基層の前記発泡複合体の前記可塑性材料がポリ塩化ビニル（ＰＶＣ）である、条項１〜３２の何れか一項に記載のタイルシステム。
【００９２】
３４．前記基層の前記発泡複合体の前記可塑性材料が、エチレン酢酸ビニル（ＥＶＡ）、ポリウレタン（ＰＵ）、ポリエチレン（ＰＥ）、ポリプロピレン（ＰＰ）、ポリスチレン（ＰＳ）、ポリ塩化ビニル（ＰＶＣ）又はそれらの混合物からなる群から選択される少なくとも一つの材料である、条項１〜３３の何れか一項に記載のタイルシステム。
【００９３】
３５．前記基層の少なくとも一つの充填剤が、タルク、チョーク、木材、炭酸カルシウム及び無機充填剤からなる群から選択される、条項１〜３４の何れか一項に記載のタイルシステム。
【００９４】
３６．前記基層の少なくとも一つの充填剤が、塩、ステアリン酸塩、ステアリン酸カルシウム及びステアリン酸亜鉛からなる群から選択される、条項１〜３５の何れか一項に記載のタイルシステム。
【００９５】
３７．前記基層が、少なくとも一つのアルキルメタクリレートを含む少なくとも一つの衝撃改質剤を含み、前記アルキルメタクリレートが、好ましくは、メチルメタクリレート、エチルメタクリレート、プロピルメタクリレート、イソプロピルメタクリレート、ｔ−ブチルメタクリレート及びイソブチルメタクリレートからなる群から選択される、条項１〜３６の何れか一項に記載のタイルシステム。
【００９６】
３８．前記実質的に剛性の基層が、独立気泡発泡体可塑性材料で少なくとも部分的に作製され、前記可塑性材料が可塑剤を含まない、条項１〜３７の何れか一項に記載のタイルシステム。
【００９７】
３９．前記発泡複合体が、約０．１〜１．５ｇ／ｃｍ３の範囲の密度を有する、条項１〜３８の何れか一項に記載のタイルシステム。
【００９８】
４０．前記発泡複合体が、約３重量％〜９重量％の強化剤を含む、条項１〜３９の何れか一項に記載のタイルシステム。
【００９９】
４１．前記発泡複合体が、７００ＭＰａ超の弾性係数を有する、条項１〜４０の何れか一項に記載のタイルシステム。
【０１００】
４２．前記基層の密度が、前記基層の高さに沿って変化する、条項１〜４１の何れか一項に記載のタイルシステム。
【０１０１】
４３．前記基層の最上部及び／又は底部が、前記基層の中心領域の多孔度未満である多孔度を有するクラスト層を形成し、各クラスト層の厚さが、０．０１〜１ｍｍの間、好ましくは０．１〜０．８ｍｍの間である、条項１〜４２の何れか一項に記載のタイルシステム。
【０１０２】
４４．各タイルが、前記基層の底側に付着された少なくとも一つのバッキング層を含み、前記少なくとも一つのバッキング層が、可撓性材料、好ましくはエラストマーで少なくとも部分的に作製される、条項１〜４３の何れか一項に記載のタイルシステム。
【０１０３】
４５．前記バッキング層の厚さが少なくとも０．５ｍｍである、条項４２に記載のタイルシステム。
【０１０４】
４６．各タイルが少なくとも一つの補強層を含み、前記補強層の密度が、好ましくは、１０００〜２０００ｋｇ／ｍ３の間、好ましくは１４００〜１９００ｋｇ／ｍ３の間、より好ましくは１４００〜１７００ｋｇ／ｍ３の間である、条項１〜４５の何れか一項に記載のタイルシステム。
【０１０５】
４７．各タイルの第１連結部分の少なくとも一部及び／又は第２連結部分の少なくとも一部が前記基層に一体的に接続される、条項１〜４６の何れか一項に記載のタイルシステム。
【０１０６】
４８．第１連結部分及び／又は第２連結部分は、連結及び離脱中における変形を可能にする、条項１〜４７の何れか一項に記載のタイルシステム。
【０１０７】
４９．第１連結部分及び第２連結部分の内の少なくとも一つの連結部分が、前記連結素子の前記トングを前記基層に接続する架橋を含み、前記架橋の最小厚さが、前記トングの最小幅よりも小さい、条項１〜４８の何れか一項に記載のタイルシステム。
【０１０８】
５０．第２連結部分が、前記下向きトングを前記基層に接続する上側架橋を含み、前記上側架橋が、隣接するタイルの連結中に変形して、前記下向き溝を広げるように構成され、好ましくは、前記第２連結部分の前記上側架橋の下側が少なくとも部分的に傾斜する、条項１〜４９の何れか一項に記載のタイルシステム。
【０１０９】
５１．前記上向きトングの前記上側が、少なくとも部分的に傾斜し、前記上向きトングの上側の傾きと前記第２連結部分の架橋部分の傾きとが実質的に同様であり、両傾きが、例えば、相互に０〜５度の間の角度を囲む、条項５０に記載のタイルシステム。
【０１１０】
５２．前記タイルの前記上側に隣接する前記上向きフランクの少なくとも一部が、これらのタイルの連結状態で別のタイルの前記上側に隣接する前記下向きトングの少なくとも一部に接触するように適合される、条項１〜５１の何れか一項に記載のタイルシステム。
【０１１１】
５３．前記タイルの前記上側が、別のタイルの前記上側に実質的に継ぎ目なしで係合するように適合される、条項５２に記載のタイルシステム。
【０１１２】
５４．前記第１係止素子が、前記上向きトングの上側から距離をおいて位置する、条項１〜５３の何れか一項に記載のタイルシステム。
【０１１３】
５５．前記第２係止素子が、前記下向き溝の上側から距離をおいて位置する、条項１〜５４の何れか一項に記載のタイルシステム。
【０１１４】
５６．下向き配置端部の有効高さが、前記上向きトングの有効高さよりも高い、条項１〜５５の何れか一項に記載のタイルシステム。
【０１１５】
５７．前記上向きフランクに対向する前記上向きトングの側面の少なくとも傾斜部分及び前記上向きフランクによって囲まれる相互角度が、前記下向きフランクに対向する前記下向きトングの側面の少なくとも傾斜部分及び前記下向きフランクによって囲まれる前記相互角度に実質的に等しい、条項１〜５６の何れか一項に記載のタイルシステム。
【０１１６】
５８．一方で、前記上向きフランクに対向する前記上向きトングの側面の少なくとも一部が延びる前記方向、及び他方で、前記基層の上側の法線によって囲まれる前記角度が、０〜６０度の間、特に０〜４５度の間である、条項１〜５７の何れか一項に記載のタイルシステム。
【０１１７】
５９．一方で、前記下向きフランクに対向する前記下向きトングの側面の少なくとも一部が延びる前記方向、及び他方で、前記基層の下側の法線によって囲まれる前記角度が、０〜６０度の間、特に０〜４５度の間である、条項１〜５８の何れか一項に記載のタイルシステム。
【０１１８】
６０．前記第１係止素子が少なくとも一つの外側バルジを含み、前記第２係止素子が少なくとも一つの凹部を含み、前記外側バルジが、係止結合を実現する目的のために、隣接する連結タイルの凹部内に少なくとも部分的に収容されるように適合される、条項１〜５９の何れか一項に記載のタイルシステム。
【０１１９】
６１．前記第１係止素子が、前記上向きトングの上側から距離をおいて位置する、条項１〜６０の何れか一項に記載のタイルシステム。
【０１２０】
６２．前記下向きフランクから離れて対向する前記下向きトングの側面が第３係止素子を有し、前記上向きフランクが第４係止素子を有し、前記第３係止素子が、別のタイルの第４係止素子と協働するように適合される、条項１〜６１の何れか一項に記載のタイルシステム。
【０１２１】
６３．二つのタイルの連結状態における前記第３係止素子と前記第４係止素子との間の前記相互作用が、前記タイルによって規定された平面に対する角度Ａ１を囲む接平面Ｔ１を規定し、前記角度Ａ１が、前記タイルによって規定された前記平面と、前記上向きフランクに対向する前記上向きトングの側面の傾斜部分と前記下向きフランクに対向する前記下向きトングの側面の傾斜部分との間の相互作用によって規定される接平面Ｔ２とによって囲まれた角度Ａ２よりも小さい、条項６２に記載のタイルシステム。
【０１２２】
６４．角度Ａ１と角度Ａ２との間の最大差が５〜１０度の間である、条項６３に記載のタイルシステム。
【０１２３】
６５．前記下向きトングの上側端部と前記基層の下側との間の最短距離が平面を規定し、前記第３係止素子と前記下向きトングの少なくとも一部とが前記平面の反対側に位置する、条項６２〜６４の何れか一項に記載のタイルシステム。
【０１２４】
６６．前記第３係止素子と前記タイルの上側との間の最小距離が、前記上向きトングの上側と前記タイルの前記上側との間の最小距離よりも小さい、条項６２〜６５の何れか一項に記載のタイルシステム。
【０１２５】
６７．前記上向きフランクから離れて対向する前記上向きトングの側面が、隣接するタイルの連結状態において前記下向きフランクから距離をおいて位置する、条項１〜６６の何れか一項に記載のタイルシステム。
【０１２６】
６８．少なくとも多くのタイルが同一である、条項１〜６７の何れか一項に記載のタイルシステム。
【０１２７】
６９．前記タイルシステムが、異なる型のタイル（それぞれＡ及びＢ）を含み、第１の型のタイル（Ａ）の大きさが、第２の型のタイル（Ｂ）の大きさと異なる、条項１〜６８の何れか一項に記載のタイルシステム。
【０１２８】
７０．特徴的な視覚的マークが、好ましくは設置目的のために、異なるタイルの型に適用される、条項１〜６９の何れか一項に記載のタイルシステム。
【０１２９】
７１．特徴的な視覚的マークが、各タイルの型の少なくとも一つの第１連結素子の前記上向きトングに適用される、条項７０に記載のタイルシステム。
【０１３０】
７２．タイル、好ましくは各タイルの少なくとも一対の対向端部が、前記最上部側の近くでベベルを有する、条項１〜７１の何れか一項に記載のタイルシステム。
【０１３１】
７３．前記装飾層が、前記基層又は前記基層上に適用されたプライマー層などの支持層上にデジタル的に印刷されたインク層によって形成される、条項１〜７２の何れか一項に記載のタイルシステム。
【０１３２】
７４．前記装飾層が印刷合成フィルムによって形成される、条項１〜７３の何れか一項に記載のタイルシステム。
【０１３３】
７５．条項１〜７４の何れか一項に記載の相互に連結されたタイルからなるタイルカバー、特に床カバー、天井カバー又は壁カバー。
【０１３４】
７６．条項１〜７４の何れか一項に記載の多目的タイルシステムにおける使用のためのタイル。
【０１３５】
以下の図に示される非限定的な例示的実施形態に基づいて本発明を説明する。本明細書において、以下を示す。
【図面の簡単な説明】
【０１３６】
【図１】本発明にかかる多目的タイルシステムにおける使用のためのタイルの概略図である。
【図２ａ】図１に示される前記タイルの第１断面を示した図である。
【図２ｂ】図２ａに示される連結プロファイルを含む二つのタイルの連結位置を示した図である。
【図２ｃ】図２ａに示される前記タイルの代替的構成を示した図である。
【図２ｄ】図２ｃに示される連結プロファイルを含む二つのタイルの連結位置を示した図である。
【図３ａ】図１に示される前記タイルの第２断面を示した図である。
【図３ｂ】図３ａに示される二つのタイルの連結位置を示した図である。
【図３ｃ】図３ａ及び図３ｂに示される前記タイルの連結プロファイルの代替的構成を示した図である。
【図３ｄ】図３ａ及び図３ｂに示される前記タイルの連結プロファイルの代替的構成を示した図である。
【図３ｅ】図３ａ及び図３ｂに示される前記タイルの連結プロファイルの代替的構成を示した図である。
【図３ｆ】図３ａ及び図３ｂに示される前記タイルの連結プロファイルの代替的構成を示した図である。
【図３ｇ】図３ａ及び図３ｂに示される前記タイルの連結プロファイルの代替的構成を示した図である。
【図４】本発明にかかるタイルの第１の可能な実施形態の積層体の詳細についての側面図の概略図である。
【図５】本発明にかかるタイルの第２の可能な実施形態の積層体の詳細についての側面図の概略図である。
【図６ａ】本発明にかかる多目的タイルシステムにおける使用のための第１の型のタイルの概略図である。
【図６ｂ】本発明にかかる多目的タイルシステムにおける使用のための第２の型のタイルの概略図である。
【図７】本発明にかかる多目的タイルシステムの第１の例の概略図である。
【図８】本発明にかかる多目的タイルシステムの第２の例の概略図である。
【図９】本発明にかかる多目的タイルシステムの第３の例の概略図である。
【図１０】本発明にかかる多目的タイルシステムの第４の例の概略図である。
【図１１】本発明にかかるタイルの概略断面図である。
【図１２】図１１にかかる前記タイルに用いられる通りの上側基板の詳細断面を示した図である。
【図１３】図１１に示される通りの前記タイルの別の概略断面を示した図である。
【図１４】本発明にかかるタイルにおける使用のための多層基層の断面を示した図である。
【図１５】本発明にかかるタイルにおける使用のための発泡基層の詳細断面を示した図である。
【発明を実施するための形態】
【０１３７】
図１は、本発明にかかる多目的タイルシステムにおける使用のためのタイル１０１の概略構成の概略図を示す。前記図は、第１端部１０１及び反対側の第２端部１０２からなる第１対の対向端部と、第３端部１０３及び対向する第４端部１０４からなる第２対の対向端部とを含むタイル１００を示す。前記第１端部１０１及び前記第３端部１０３は第１鋭角１０５を囲み、前記第２端部１０２及び前記第４端部１０４は、前記第１鋭角１０５に対向する第２鋭角１０６を囲む。前記第２端部１０２及び前記第３端部１０３は第１鈍角１０７を囲み、前記第１端部１０１及び前記第４端部１０４は、前記第１鈍角１０７に対向する第２鈍角１０８を囲む。前記第１対の対向端部１０１，１０２及び前記第２対の対向端部１０３，１０４の両方は、係止目的のための対向機械的連結手段を含む。図１は、前記タイル１００の機械的連結手段の構成がどのように行われ得るのかについて表示する仕方で示す。前記第１端部１０１は第１連結プロファイル１０９を含み、前記第２端部１０２は第２連結プロファイル１１０を含む。前記第１連結プロファイル１０９及び前記第２連結プロファイル１１０は、図３ａ及び図３ｂにおいて、さらに詳細に説明される。前記第３端部１０３は第３連結プロファイル１１１を含み、前記第４端部１０４は第４連結プロファイル１１２を含む。前記第３連結プロファイル１１１及び前記第４連結プロファイル１１２は、図２ａ及び図２ｂにおいて、さらに詳細に説明され、その変形例は図２ｃ及び図２ｄにおいて説明される。前記タイル１００は、少なくとも一つの独立気泡発泡体可塑性材料と少なくとも一つの充填剤とを含む発泡複合体から少なくとも部分的に作製される実質的に剛性の基層１１３を含む。線Ａ−Ａ’及びＢ−Ｂ’の断面並びにそれらの変形例は、図２ａ〜図３ｇに概略的に示される。前記タイル１００は、平行四辺形の形状を有し、その結果、複数のタイル１００は、接合状態でシェブロン模様を形成することができる。所望により、前記第１対の対向端部１０１，１０２及び／又は前記第２対の対向端部１０３，１０４は、上面の近くでベベルを有してもよい。以下で考察される図において、同様に、一つ以上のベベルが適用されてもよい。さらに、前記タイル１０１は、例えば図５、図６ａ及び図６ｂに示されるように、前記タイルの基層（コア層）の上側に付着される複数の帯板形状上側基板を含んでもよい。ここで、少なくとも二つの帯板形状上側基板の長手方向端部は、好ましくは、前記上面の近くでベベルを有する。
【０１３８】
図２ａは、図１に示される前記タイル１００の線Ａ−Ａ’の断面の概略図を示す。前記図は、第３連結プロファイル１１１を含む前記第３端部１０３と、第４連結プロファイル１１２を含む前記第４端部１０４とを示す。図２ｂは、図２ａに示される連結プロファイル１１１，１１２を含む二つのタイル１００ａ，１００ｂの連結位置の概略図を示す。前記第３連結プロファイルは、上向きトング１１３と、前記上向きトング１１３から距離をおいた上向きフランク１１４と、前記上向きトング１１３と前記上向きフランク１１４との間に形成された上向き溝１１５とを含む。前記第４連結プロファイル１１２は、下向きトング１１６と、前記下向きトング１１６から距離をおいた下向きフランク１１７と、前記下向きトング１１６と前記下向きフランク１１７との間に形成された下向き溝１１８とを含む。前記下向きフランク１１７から離れて対向する側面１１６ｂは斜めに方向づけられる。前記側面１１６ｂは、実質的に直線の意匠を有し、前記上向きフランク１１４の相補的側面１１４ａは、丸みを帯びた意匠を有する。エアギャップ１１９は、図２ｂに示される前記連結位置に形成される。前記第３連結プロファイル１１１は、前記第４連結プロファイル１１２の前記フランク１１７において提供される第２係止素子１２１との相互作用のために適合される第１係止素子１２０を含む。前記第１係止素子１２０は外側バルジを含み、前記第２係止素子１２１は凹部を含み、前記外側バルジは、係止連結を実現する目的のために隣接する連結タイルの凹部内で少なくとも部分的に収容されるように適合される。図２ｂは、タイル１００ｂが隣接するタイル１００ａに連結され、それによって前記第３連結プロファイル１１１及び前記第４連結プロファイル１１２が係止されることを示す。図２ａ〜図２ｂに示された実施形態のトング１１３，１１６，フランク１１４，１１７及び溝１１５，１１８は、実質的に丸みを帯びた意匠を有する。しかし、トング１１３，１１６，フランク１１４，１１７及び／又は溝１１５，１１８は、より直線的な意匠を有することも可能である。
【０１３９】
図２ｃは、図２ａ及び図２ｂに示される前記タイル１００と同等の前記タイル１００の代替的構成の概略図を示し、前記図は、図１に示される前記タイル１００の線Ａ−Ａ’の可能な断面を示す。同様の参照符号は、同様又は同等の技術的特徴を示す。前記第３端部１０３は第３連結プロファイル１１１を含み、前記第４端部１０４は第４連結プロファイル１１２を含む。図２ｄは、図２ｃに示される連結プロファイル１１１，１１２を含む二つのタイル１００ａ，１００ｂの連結位置の概略図を示す。前記第３連結プロファイルは、上向きトング１１３と、前記上向きトング１１３から距離をおいた上向きフランク１１４と、前記上向きトング１１３と前記上向きフランク１１４との間に形成された上向き溝１１５とを含む。前記第４連結プロファイル１１２は、下向きトング１１６と、前記下向きトング１１６から距離をおいた下向きフランク１１７と、前記下向きトング１１６と前記下向きフランク１１７との間に形成された下向き溝１１８とを含む。示された前記実施形態において、前記下向きフランク１１７から離れて対向する前記下向きトング１１６の側面は第３係止素子１２６を有し、前記上向きフランク１１４は第４係止素子１２７を有し、前記第３係止素子１２６は、別のタイル１００の第４係止素子１２７と協働するように適合される。このことによって、前記連結の安定性及び信頼性をさらに向上させることが可能なさらなる内側係止機構が得られる。二つのタイルの連結状態における前記第３係止素子１２６と前記第４係止素子１２７との間の前記相互作用は、前記タイルによって規定された前記平面に対する角度Ａ１を囲む接平面Ｔ１を規定し、前記角度Ａ１は、前記タイルによって規定された前記平面と、前記上向きフランク１１４に対向する前記上向きトング１１３の側面の傾斜部分と前記下向きフランク１１７に対向する前記下向きトング１１６の側面の傾斜部分との間の相互作用によって規定される接平面Ｔ２とによって囲まれた角度Ａ２よりも小さい。概して、角度Ａ１と角度Ａ２との間の最大差は、５〜１０度の間である。
【０１４０】
図３ａは、図１に示される前記タイル１００の第２断面の概略図を示す。前記図は、特に、線Ｂ−Ｂ’の断面を示す。前記図は、第１連結プロファイル１０９を含む前記第１端部１０１と、第２連結プロファイル１１０を含む前記第２端部１０２とを示す。図３ｂは、図３ａに示される連結プロファイル１０９，１１０を含む二つのタイル１００ａ，１００ｂの連結位置の概略図を示す。前記第１連結プロファイル１０９は、前記タイル１００の上側に実質的に平行な方向に延びる横向きトング１２２を含む。前記第２連結プロファイル１１０は、さらなるタイルの前記横向きトング１２２の少なくとも一部を収容するために構成される凹部１２３を含み、前記凹部１２３は、上側リップ１２４及び下側リップ１２５によって規定され、前記第１機械的連結プロファイル１０９，１１０は、内側への角度を向けることによって隣接するタイル１００を共に係止することが可能であり、それによって、前記横向きトング１２２の少なくとも一部が前記凹部１２３に収容される。前記第１連結プロファイル１０９の前記横向きトング１２２の底部後部領域は、ベアリング領域として構成される。前記第２連結プロファイル１１０の前記下側リップ１２５は、前記横向きトング１２２の前記ベアリング領域を支持する且つ／又は対向するための上方突出肩部を有する。係止が、さらなるタイルの前記凹部１２３内への導入移動と、前記第１連結プロファイル１０９に平行な軸線の周りの下に角度を向ける移動とによって起こるように、前記横向きトング１２２が設計され、その結果、前記横向きトング１２２の最上部側が前記上側リップ１２４を係合することになり、前記横向きトングの前記ベアリング領域が前記下側リップ１２５の前記肩部に支持され、且つ／又は対向することになり、それによって、水平方向及び垂直方向の両方における前記第１端部及び前記第２端部１０１，１０２における隣接するタイル１００ａ，１００ｂの係止が生じる。
【０１４１】
図３ｃ〜図３ｇは、本発明にかかるタイル１００ｃ〜１００ｇの前記第１端部１０１ｃ〜１０１ｇ及び前記第２端部１０２ｃ〜１０２ｇに存在し得る前記第１連結プロファイル１０９ｃ〜１０９ｇ及び前記第２連結プロファイル１１０ｃ〜１１０ｇの異なる代替的実施形態を示す。これらの連結プロファイル１０９ｃ〜１０９ｇ，１１０ｃ〜１１０ｇの内の一つ以上が、図１に示される前記タイル１０１に適用されてもよい。図３ｃは、前記第１連結プロファイル１０９ｃの前記横向きトング１２２ｃの前部領域が、丸みを帯びた底面を有することを示す。前記丸みを帯びた底面の外側端部は傾斜係止表面に隣接する。前記丸みを帯びた底面の反対端部は、前記横向きトング１２２ｃの後部領域のベアリング表面作製部分に隣接する。前記第２連結プロファイル１１０ｃは、凹部１２３ｃを規定する上側リップ１２４ｃ及び下側リップ１２５ｃを含む。両リップ１２４ｃ，１２５ｃは、前記タイル１００ｃの前記基層に一体的に接続される。図３ｄは、タイル１００ｄの第１連結プロファイル及び第２連結プロファイル１０９ｄ，１１０ｄを示し、滑らかに丸みを帯びた底部分の代わりに、より鉤状の（分かれて丸みを帯びた）底部分が示される。図３ｅにおいて、図３ｃに示される前記タイルとほとんど同じであるが、前記第１連結プロファイル及び前記第２連結プロファイル１０９ｅ，１１０ｅが傾斜係止表面の代わりに水平係止表面を有する、タイル１００ｅの実施形態が示される。図３ｆにおいて、前記二つの連結プロファイル１０９ｆ，１１０ｆの間の底部接触部分が部分的に滑らかに丸みを帯び、部分的に非連続に丸みを帯びる（分かれて丸みを帯びる）ように前記第１連結プロファイル及び前記第２連結プロファイル１０９ｆ，１１０ｆが成形されるタイル１００ｆの代替的実施形態が示される。前記第１連結プロファイル１０９ｆの横向きトング１２２ｆ、及び前記第２連結プロファイル１１０ｆの上側リップ１２４ｆの係止表面は、実質的に水平の配向性を有する。図３ｇにおいて、横向きトング１２２ｇの前部底部分が滑らかな丸みを帯びないが平坦であり、それによって前記横向きトング１２２ｇの底部分がそのような分かれて丸みを帯びた（鉤状の）形状として与えられるという差があるが、図３ｆにおいて示される前記タイル１００ｆとほとんど同じタイル１００ｇの実施形態が示される。
【０１４２】
図４は、本発明にかかるタイル２００の第１の可能な実施形態の積層体の詳細の側面図の概略図を示す。前記タイル２００は、少なくとも一つの独立気泡発泡体可塑性材料と少なくとも一つの充填剤とを含む発泡複合体から少なくとも部分的に作製される実質的に剛性の基層２０１を含む。前記基層２０１は、下側又は底面２０１ｂ及び上側２０１ａを含む。前記連結プロファイルは、概して前記剛性基層２０１において提供される。前記タイル１００は、前記基層２０１の前記上側２０１ａに付着される上側基板２０２を含む。層又はコーティングであることが可能な接着剤２０３は、前記上側基板層２０２及び前記剛性基層２０１を共に接合するために、前記剛性基層２０１の前記上側表面２０１ａと前記上側基板層２０２の前記下側表面２０２ｂとの間に提供される。場合によっては、前記タイル２００は、前記基板層２０２の前記上側表面２０２ａの上の、又は前記上側表面２０２ａにおける任意の選択された型の意匠模様又は装飾用外観を含むことができる。前記意匠模様は、木目意匠、大理石、花崗岩若しくはいずれか他の天然石粒に似ている無機物粒意匠、又はいくつかの設計の可能性だけを示すための色模様、混色若しくは単色であることができる。前記装飾模様又は前記意匠模様は、前記上側基板層２０２の前記上側表面２０２ａの上に印刷され得るか、又は、それ以外の場合、印加されるが、好ましくは、任意の適切な知られた可塑性材料の別々の印刷フィルム又は装飾層２０４上に提供される。前記装飾層２０４は、前記意匠層２０４を視認することが可能な知られた材料及び制作物の透明又は半透明の耐摩耗性摩耗層２０５によってカバーされる。前記摩耗層２０５の最上部は、前記タイル１００の上面である。場合によっては、透明仕上げ層（図示せず）は、前記装飾層２０４と前記摩耗層２０５との間にあることができる。前記タイル１００は、前の図に示される前記連結素子の内のいずれかを有することができる。最初に前記上側基板層２０２、前記意匠層２０４及び前記摩耗層２０５を共に積層して、上側基板積層体部分構築体２０６を形成することができる。次いで、前記積層体部分組立品２０６及び前記基層２０１を共に積層して、前記タイル２００を形成することができる。典型的には、連結プロファイルを一方又は両方の対の前記タイル２００の対向端部に適用して、これらの連結プロファイルの例は図１〜図３ｇに示される。この図４に示される前記タイル２００は、図１〜図３ｇの内の一つに示されるものと同じタイルであってもよい。
【０１４３】
図５は、本発明にかかるタイル３００の第２の可能な実施形態の積層体の詳細の側面図の概略図を示す。前記タイル３００は、少なくとも一つの可塑性材料と少なくとも一つの充填剤との複合体で少なくとも部分的に作製される実質的に剛性の基層３０１を含み、前記複合体及び／又は前記少なくとも一つの可塑性材料は、独立気泡発泡体を含み、且つ／又は独立気泡発泡体によって形成される。前記実質的に剛性の基層３０１が、少なくとも一つの可塑性材料と少なくとも一つの充填剤とを含む非発泡（中実の）複合体で少なくとも部分的に作製されることも可能でもある。前記タイル３００は、前記基層３０１の前記上側３０１ａに付着される複数の帯板形状上側基板３０２ａ〜３０２ｅを含む。前記複数の帯板形状上側基板３０２ａ〜３０２ｅをあらかじめ構築した後、それらを前記基層３０１に付着させることができる。前記上側基板３０２ａ〜３０２ｅは、接着剤３０３によって前記基層３０１の前記上側３０１ａに付着される。しかし、高圧及び高圧処理によって前記上側基板３０２ａ〜３０２ｅを前記基層３０１の前記上側３０１ａに付着させることも可能である。前記上側基板３０２ａ〜３０２ｅは、知られた材料及び制作物の透明又は半透明の耐摩耗性摩耗層３０５によってカバーされる。前記上側基板３０２ａ〜３０２ｅは平行配向性を有する。タイル３００のプロファイリングは、概して前記タイル３００の積層の後で行われる。前記連結プロファイルは、前記剛性基層３０１において提供される。下敷き３０６又はバッキング３０６（点線で示される）を用いる場合、前記下敷き３０６は、プロファイリングステップの後で前記基層３０１の下側３０１ｂに付着される。前記下敷き３０６は、例えば、ポリエチレン（ＰＥ）、ポリウレタン又はコルクで作製され得る。
【０１４４】
図６ａ及び図６ｂは、前記第１対の反対端部に沿った一方の型のタイル（Ａ）の前記第１機械的連結手段が、他方の型のタイル（Ｂ）の同一の前記第１対の反対端部部分に沿った前記対応する第１機械的連結手段に対してミラー反転様式で配置される、二つの異なる型のタイル構成の概略図を示す。前記図は上面図を示す。図６ａは、前記第１連結プロファイル６０９が前記第１端部６０１に配置され、前記第２連結プロファイル６１０が前記第２端部６０２に配置され、前記第３連結プロファイル６１１が前記第３端部６０３に配置され、前記第４連結プロファイル６１２が前記第４端部６０４に配置される、タイル６００Ａを示す。しかし、図６ｂは、前記第１連結プロファイル６０９が前記第２端部６０２に配置され、前記第２連結プロファイル６１０が前記第１端部６０１に配置され、前記第３連結プロファイル６１１が前記第３端部６０３に配置され、前記第４連結プロファイル６１２が前記第４端部６０４に配置される構成を有するタイル６００Ｂを示す。前記連結プロファイル６０９，６１０，６１１，６１２は、図１〜図３ｇの実施形態において示される前記連結プロファイルの内のいずれかであることができる。Ａ型及びＢ型のタイルの両方について、前記第１端部６０１及び前記第３端部６０３は第１鋭角６０５を囲み、前記第２端部６０２及び前記第４端部６０４は、前記第１鋭角６０５に対向する第２鋭角６０６を囲み、前記第２端部６０２及び前記第３端部６０３は第１鈍角６０７を囲み、前記第１端部６０１及び前記第４端部６０４は、前記第１鈍角６０７に対向する第２鈍角６０８を囲む。各タイル６００Ａ，６００Ｂは、独立気泡発泡体可塑性材料と少なくとも一つの充填剤とを含む複合体で少なくとも部分的に作製される実質的に剛性の基層を含む。各タイル６００Ａ，６００Ｂは、前記基層の上側に付着される複数の帯板形状上側基板６２０ａ〜６２０ｆをさらに含み、前記上側基板６２０ａ〜６２０ｆは、平行構成で同一平面内に並んで配置される。前記タイル６００Ａ，６００Ｂ及び前記帯板形状上側基板６２０ａ〜６２０ｆの両方は、平行四辺形の形状を有する。図６ａ及び図６ｂに示される複数のタイル６００Ａ，６００Ｂを相互接続する場合、前記上側基板６２０ａ〜６２０ｆは、シェブロン模様を形成する。これは、図８においてさらに詳細に示される。前記上側基板６２０ａ〜６２０ｆは、装飾層と、前記装飾層をカバーする耐摩耗性摩耗層とを含む。美的観点から、少なくとも二つの隣接して配置された上側基板６２０ａ〜６２０ｆの前記装飾層が異なる外観を有することが望ましいが、その理由は、このことによって前記シェブロン模様が際立つ可能性があるからである。複数の上側基板６２０ａ〜６２０ｆは、前記タイル６００Ａ、６００Ｂの前記基層の前記上側表面を実質的に完全にカバーする。ゆえに、前記複数の上側基板６２０ａ〜６２０ｆの各々は、前記タイル６００Ａ，６００Ｂの前記第１端部６０１から前記第２端部６０２に延びる。前記上側基板６２０ａ〜６２０ｅは、各上側基板６２０ａ〜６２０ｅの長手方向が前記タイル６００Ａ，６００Ｂの前記第３端部６０３及び前記第４端部６０４に沿っている平行配向性を有する。上側基板６２０ａ〜６２０ｆの理想的な数及び寸法は、とりわけ前記タイル６００Ａ、６００Ｂの寸法に依存する。タイル６００Ａ、６００Ｂの示された実施形態において、タイル６００Ａ，６００Ｂの第１端部６０１の長さは、前記タイル６００Ａ，６００Ｂの第２端部６０２の長さと実質的に同じである。この長さは、前記タイル６００Ａ，６００Ｂの前記第３端部６０３及び前記第４端部６０４の長さよりも長い。前記第１鋭角６０５及び前記第２鋭角６０６は３０〜６０度の間であり、好ましくは実質的に４５度である。前記第１鈍角６０７及び前記第２鈍角６０８は１２０〜１５０度の間であり、好ましくは実質的に１３５度である。
【０１４５】
図７は、複数の多目的タイル７００Ａ，７００Ｂを含む本発明にかかる多目的タイルシステム７７０の第１例の概略図を示す。前記図は上面図を示す。前記システム７７０は、二つの異なる型のタイル７００Ａ，７００Ｂを含む。タイル７００Ａ，７００Ｂの示された実施形態において、タイル７００Ａ，７００Ｂの第１端部７０１及び第２端部７０２の長さ（Ｌ１）は、前記タイル７００Ａ，７００Ｂの第３端部７０３及び第４端部７０４の長さ（Ｌ２）よりも著しく長い。この構成のために、前記第１端部７０１及び前記第２端部７０２が、隣接するタイル７００Ａ，７００Ｂの角度を内側へ向けるために配置される連結プロファイルを含む場合、前記第３端部７０３及び前記第４端部７０４が、前記タイル７００Ａ，７００Ｂのさらなる係止のために配置される連結プロファイルを含むことが有益である。適用され得る前記連結プロファイルの例は、図１〜図３ｇに示される。
【０１４６】
図８は、複数の多目的タイル８００Ａ，８００Ｂを含む本発明にかかる多目的タイルシステム８８０の第２例の概略図を示す。前記図は上面図を示す。前記タイル８００Ａ，８００Ｂは、図６ａ及び図６ｂに示され、例が図１〜図３ｇにも示される同等の連結プロファイルを有する前記タイル６００Ａ，６００Ｂと同等である。前記タイル８００Ａ，８００Ｂは、対向端部８０１，８０２，８０３，８０４が同様の長さを有し、隣接する端部の長さが異なる平行四辺形の形状を有する。各タイル８００Ａ，８００Ｂは、前記基層の上側に付着される複数の帯板形状上側基板８２０ａ〜８２０ｆを含む。前記上側基板８２０ａ〜８２０ｆは、平行に配向される。タイル８００Ａ，８００Ｂの各上側基板８２０ａ〜８２０ｆの長手方向は、前記タイル８００Ａ，８００Ｂの短い端部に実質的に平行である。ゆえに、タイル８００Ａ，８００Ｂの長手方向は、それに付着される上側基板８２０ａ〜８２０ｅの長手方向と異なる。前記タイル８００Ａ，８００Ｂが、例えば前記図の左側に示されるように接合構成である場合、タイルの前記複数の上側基板８２０ａ〜８２０ｅは、前記タイルの長手方向に、隣接するタイルの前記上側基板８２０ａ〜８２０ｅの接続を形成する。このことは、Ａ型のタイル８００Ａの前記上側基板８２０ａ〜８２０ｅが、隣接するＡ型のタイル８００Ａの前記上側基板に実質的に平行であることを意味する。同じことは、Ｂ型のタイル８００Ｂに当てはまる。上側基板８２０ａ〜８２０ｅのこの構成のため、前記上側基板８２０ａ〜８２０ｅが前記タイルシステムの形成中に相互に接続される個別のタイルでないことは、観察することが困難であるか、又は不可能でさえある。前記シェブロン模様を視覚化する全ての前記上側基板８２０ａ〜８２０ｅが相互に接合される必要があるというわけではないことが、前記構成の利益である。少なくとも一つの可塑性材料と少なくとも一つの充填剤とを含む発泡複合体で少なくとも部分的に作製される実質的に剛性の基層を含む前記タイル８００Ａ，８００Ｂのために、前記タイル８００Ａ，８００Ｂは、比較的大きい寸法を有するために充分な剛性を有する。前記第１端部８０１及び前記第２端部８０２は、例えば、長さ（Ｌ）が最高で２メートルであることができる。前記タイルの幅（Ｗ）は、例えば、３０〜５０センチメートルであることができる。ゆえに、上側基板８２０ａ〜８２０ｅの寸法における従来のタイルを含むシステムであって、視覚的に同様に見える前記従来のシステムと比較して、本発明にかかる前記システムは、前記タイルシステム８８０の設置のための必要時間を著しく低下させることができる。
【０１４７】
図９は、複数の多目的タイル９００Ａ，９００Ｂを含む本発明にかかる多目的タイルシステム９９０の第３の例の概略図を示す。前記図は上面図を示す。前記タイル９００Ａ，９００Ｂは、図７に示される前記タイル７００Ａ，７００ｂと同等であるが、前記タイル９００Ａ，９００Ｂは異なる様式で接合され、それによって前記タイルシステム９９０の異なるタイルパターンが得られる。前記端部９０１，９０２，９０３，９０４は、前の図に記載される連結プロファイルを有することができる。前記タイル９００Ａ，９００Ｂは、斜方形又は長斜方形の形状を有することも可能である。前記タイルシステム９９０の設置は、少なくとも垂直方向に、好ましくは水平方向にも第１タイル９００Ａ，９００Ｂ及び第２タイル９００Ａ，９００Ｂを係止することになる、すでに設置されたタイル９００Ａ，９００Ｂに対して設置されるタイル９００Ａ，９００Ｂの角度を下げることによって典型的には（必ずというわけではないが）実現される、すでに設置された第２タイル９００Ａ，９００Ｂの凹部内に設置される第１タイル９００Ａ，９００Ｂの横向きトングを内側に角度を向けることによって実現され得る。前記第１タイル９００Ａ，９００Ｂ及び前記第２タイル９００Ａ，９００Ｂのこの内側に角度を向けることの間、一般に、設置対象の前記第１タイル９００Ａ，９００Ｂの第４連結プロファイルは、別のすでに設置された第３タイル９００Ａ，９００Ｂの第３連結プロファイルに（同時に）接続されることになり、それは前記第３タイル９００Ａ，９００Ｂに対して前記第１タイル９００Ａ，９００Ｂを降下させることによって典型的には実現され、その間、前記第３連結プロファイル及び前記第４連結プロファイルは互いにシザリングが行われ（留められ）、それによって水平方向及び垂直方向の両方で前記第３タイル９００Ａ，９００Ｂに対する前記第１タイル９００Ａ，９００Ｂの係止が生じる。
【０１４８】
図１０は、複数の多目的タイル１０００Ａ，１０００Ｂを含む本発明にかかる多目的タイルシステム１１００の第４の例の概略図を示す。図は上面図を示す。前記タイル１０００Ａ，１０００Ｂは、例が図１〜図３ｇにも示される第１端部、第２端部、第３端部及び第４端部１００１，１００２，１００３，１００４において同等の連結プロファイルを有する図６ａ及び図６ｂに示される前記タイルと同等である。この図に示される多目的タイルシステム１１００は、図７及び図８に示される前記システム７７０，８８０との類似性を有する。主な差は、前記タイル１０００Ａ，１０００Ｂの上側基板１０ａ，１０ｂ，１０ｃの不均一性にあることが見出され得る。各タイル１０００Ａ，１０００Ｂは、前記基層の上側に付着される複数の帯板形状上側基板１０ａ〜１０ｃを含む。前記上側基板１０ａ〜１０ｃは、互いに平行に配向される。タイル１０００Ａ，１０００Ｂの一つあたりの上側基板１０ａ〜１０ｃの数は、前記上側基板１０ａ〜１０ｃの幅Ｗａ，Ｗｂ，Ｗｃが変化し得るにつれて変化し得る。前記幅Ｗａ，Ｗｂ，Ｗｃは、前記タイル１０００Ａ，１０００Ｂの長手方向Ｌにおいて規定される。前記タイル１０００Ａ，１０００Ｂが、例えば前記図の左側に示されるように接合構成である場合、前記複数の上側基板１０ａ〜１０ｃは、上側基板１０ａ〜１０ｃの不均一模様を形成する。示される前記上側基板１０ａ〜１０ｃが全て平行四辺形の形状を有するにもかかわらず、前記上側基板の形状がそれから逸脱することも可能である。
【０１４９】
図１１は、本発明にかかるタイル１１００の概略断面を示す。前記断面は、図１に示される前記タイル１００の線Ａ−Ａ’の断面と同等である。前記連結プロファイル１１１１，１１１２は、図２ａ及び図２ｂに示される前記連結プロファイルと同等であるが、用いることが可能な連結プロファイルのさらに可能な例は、図１〜図３ｇに示される。前記タイル１１００は、少なくとも一つの可塑性材料と少なくとも一つの充填剤との複合体で少なくとも部分的に作製される実質的に剛性の基層１１０１を含み、前記複合体及び／又は前記少なくとも一つの可塑性材料は、独立気泡発泡体を含み、且つ／又は独立気泡発泡体によって形成される。前記タイル１１００は、前記基層１１０１の前記上側１１０１ａに付着される複数の帯板形状上側基板１１０２ａ，１１０２ｂを含む。前記複数の帯板形状上側基板１１０２ａ，１１０２ｂをあらかじめ構築した後、それらを前記基層１１０１に付着させることができる。前記上側基板１１０２ａ，１１０２ｂは、例えば、接着剤によって前記基層１１０１の前記上側１１０１ａに付着されてもよい。前記上側基板１１０２ａ，１１０２ｂは、典型的には、透明又は半透明の耐摩耗性摩耗層によってカバーされる。バッキング層１１０６は、プロファイリングステップの後、前記基層１１０１の下側１１０１ｂに付着される。前記上側基板１１０２ａ，１１０２ｂは、平行構成を有し、前記隣接する帯板形状上側基板１１０２ａ，１１０２ｂの対向する長手端部は、前記最上部側の近くでベベル１１７０を有する。各ベベル１１７０は、形状上側基板１１０２ａ，１１０２ｂの対向する長手方向端部において提供され、前記摩耗層の切取部分及び／又は刻印部分によって形成される。前記ベベル１１７０は、視認可能な継ぎ目の形成を阻止するために適用され、隣接する上側基板１１０２ａ，１１０２ｂの継ぎ目のない係合を確保する。各帯板形状上側基板１１０２ａ，１１０２ｂは、典型的には、前記基層１１０１と前記上側基板１１０２ａ，１１０２ｂの装飾層との間にある背面層を含む。好ましい実施形態において、前記背面層の最上部分の幅は、典型的には断面に見られるように、図１２においても見ることができるように、前記背面層の底部分の幅よりも大きい。このことによって、隣接する上側基板１１０２ａ，１１０２ｂの継ぎ目がなく且つ密着した係合の向上を得ることができる。前記背面層の対向する長手端部の底部分は、好ましくは面取りされている。図１１は、前記上側基板１１０２ａ，１１０２ｂが、互いに隣接して、むしろ密着して位置し、前記上側基板１１０２ａ，１１０２ｂの底部分の狭い幅が適用されるので、小さい空気チャネル１１７１が、前記上側基板の底部側において、前記隣接する上側基板１１０２ａ，１１０２ｂの間に形成されることを示す。
【０１５０】
図１２は、図１１にかかる前記タイル１１００において用いられる上側基板１１０２の詳細な断面を示す。前記図は、前記帯板形状上側基板１１０２が、装飾層１１０４と、前記装飾層１１０４をカバーする耐摩耗性摩耗層１１０５とを含むことを示す。前記摩耗層１１０５の上面は、前記タイル１１００の上面である。前記摩耗層１１０５は、典型的には、透明及び／又は半透明の材料で作製され、その結果、装飾層１１０４は、透明摩耗層１１０５を通して視認可能である。前記帯板形状上側基板１１０２の長手方向端部はベベル１１７０を有する。前記ベベル１１７０は、視認可能な継ぎ目の形成を阻止するために適用され、隣接する上側基板１１０２の継ぎ目のない係合を確保する。前記ベベル１１７０は、前記摩耗層１１０５の切取部分によって形成される。ゆえに、示された前記実施形態において、前記ベベル１１７０は、前記装飾層１１０４の上に位置し、前記ベベル１１７０は、前記装飾層１１０４を無傷のままにする。前記ベベル１１７０は、典型的には、前記タイルの上面によって規定される通りの水平な表面の下で１０〜３０度の間の角度（アルファ）を有する。示された前記実施形態における前記ベベル１１７０の角度は、約１５度である。前記装飾層１１０４と前記摩耗層１１０５との間にある透明仕上げ層が考えられる。前記帯板形状上側基板１１０２は、前記タイル（図示せず）の前記基層と前記装飾層１１０４との間にある背面層１１８０を含む。前記背面層１１８０は、好ましくは、ＰＶＣ又はＰＥＴなどの熱可塑性材料で作製される。好ましくは、前記背面層１１８０の厚さは、前記上側基板の厚さの少なくとも５０％である。前記背面層１１８０の最上部分の幅（Ｗ）は、前記背面層１１８０の底部分の幅よりも大きいことを認めることができる。
【０１５１】
図１３は、図１１に示される前記タイルの別の概略断面を示す。前記断面は、図１に示される前記タイル１００の線Ｂ−Ｂ’の断面と同等である。前記連結プロファイル１１１１、１１１２は、図３ａ及び図３ｂに示される前記連結プロファイルと同等であるが、使用することが可能な連結プロファイルのさらに可能な例は、図１〜図３ｇに示される。前記上側基板１１０２の短い端部が、前記上面の近くでベベル１１７０ｓも有し、それによって隣接するタイルが互いに継ぎ目なしで係合することが可能になるか、又は容易になることを見ることができる。
【０１５２】
図１４は、本発明にかかるタイルにおける使用のための多層基層１４０１の断面を示す。図は、前記基層１４０１が基本的に三つの層１４０１ａ、１４０１ｂ、１４０１ｃを含むことを示す。前記上層１４０１ａ及び前記底層１４０１ｃは、発泡中間層１４０１ｂを囲む。ゆえに、互いの上に積層される複合層１４０１ａ、１４０１ｂ、１４０１ｃの積層体が形成される。この多層基層１４０１は、例えば、共押出によって形成されてもよい。前記基層１４０１の前記異なる複合層１４０１ａ、１４０１ｂ、１４０１ｃが異なる組成を有することを見ることができる。前記上層１４０１ａ及び前記底層１４０１ｃは（むしろ）中実の構造を有するが、前記中間層１４０１は発泡体構造を有する。ゆえに、二つの実質的に中実の複合層１４０１ａ、１４０１ｃが発泡体複合層１４０１ｂを囲むサンドイッチ構造が得られる。
【０１５３】
図１５は、本発明にかかるタイルにおける使用のための発泡基層１５０１のさらなる例の詳細な断面を示す。クラスト層（Ｃ）が前記発泡基層１５０１の最上部（最上部分）及び底部（底部分）の両方における前記発泡基層１５０１の中で形成されることを見ることができる。このクラスト層は、前記基層１５０１の一体部分を形成する。さらに、前記基層１５０１の前記最上部及び前記底部の前記クラスト層は、前記発泡体構造（Ｆ）を囲む。各クラスト層は、比較的独立気泡構造を有する。前記クラスト層Ｃは、より多孔性の前記発泡体構造Ｆと比較して多孔度が低下していることを見ることができる。前記発泡基層１５０１の中心部は、両クラスト層によって囲まれる。前記発泡中心部は、クラスト層の厚さよりも大きい厚さを有する。前記中心部は、実質的に均質な気泡の大きさを有する。前記発泡基層１５０１の前記発泡部Ｆの平均気泡大きさは、典型的には、６０〜１４０ミクロンの間、より特には、８０〜１２０ミクロンの間である。
【０１５４】
本発明が、本明細書において図と共に記載される作業例に限定されるものではないが、当業者にとって明らかである添付の特許請求の範囲の範囲内で多くの変形例が可能であることは、明らかであろう。その上、本発明にかかる前記タイルの各種の実施形態の上記記載において述べられた一つ以上の詳細及び技術的特徴は、図に示され、且つ上記で記載される前記タイルにおいて組み込まれてもよい。ゆえに、上記の本発明の概念は、いくつかの例示的な実施形態によって示される。その際、記載される例の他の詳細を適用することもなく個別の本発明の概念を適用してもよいことが考えられる。特定の適用に達するために多くの本発明の概念を（再度）組み合わせることができることを当業者は理解するので、上記の本発明の概念の全ての考えられる組み合わせの例を詳しく述べることは必要ではない。
【０１５５】
本特許公開において用いられる「含む（comprise）」という動詞及びその活用形は、「含む」だけを意味するものと理解されるのではなく、「含む（contain）」、「実質的になる（substantially consist of）」、「によって形成される（formed by）」という句及びそれらの活用形も意味するものと理解される。
【図１】
2021532291.tif 000003
【図２ａ】
2021532291.tif 000004
【図２ｂ】
2021532291.tif 000005
【図２ｃ】
2021532291.tif 000006
【図２ｄ】
2021532291.tif 000007
【図３ａ】
2021532291.tif 000008
【図３ｂ】
2021532291.tif 000009
【図３ｃ】
2021532291.tif 000010
【図３ｄ】
2021532291.tif 000011
【図３ｅ】
2021532291.tif 000012
【図３ｆ】
2021532291.tif 000013
【図３ｇ】
2021532291.tif 000014
【図４】
2021532291.tif 000015
【図５】
2021532291.tif 000016
【図６ａ】
2021532291.tif 000017
【図６ｂ】
2021532291.tif 000018
【図７】
2021532291.tif 000019
【図８】
2021532291.tif 000020
【図９】
2021532291.tif 000021
【図１０】
2021532291.tif 000022
【図１１】
2021532291.tif 000023
【図１２】
2021532291.tif 000024
【図１３】
2021532291.tif 000025
【図１４】
2021532291.tif 000026
【図１５】
2021532291.tif 000027
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
複数の多目的タイル、特に床タイルを含む多目的タイルシステム、特に床タイルシステムであって、タイルが、シェブロン模様で接合されるように構成され、各タイルが、
第１端部と反対側の第２端部とからなる第１対の対向端部と、
第３端部と対向する第４端部とからなる第２対の対向端部と、を含み、
前記第１端部及び前記第３端部が第１鋭角を囲み、前記第２端部及び前記第４端部が前記第１鋭角に対向する第２鋭角を囲み、前記第２端部及び前記第３端部が第１鈍角を囲み、前記第１端部及び前記第４端部が前記第１鈍角に対向する第２鈍角を囲み、
前記第１対の対向端部が、
前記タイルの上側に実質的に平行な方向に延びる横向きトングを含む第１連結プロファイルと、
さらなるタイルの横向きトングの少なくとも一部を収容するために構成された凹部を含む対向する第２連結プロファイルであって、前記凹部が上側リップ及び下側リップによって規定され、第１機械的連結プロファイルが、内側に角度を向けることによって前記タイルを共に係止することを可能にすることによって、前記横向きトングの少なくとも一部が前記凹部によって収容される、対向する第２連結プロファイルと、を含む、少なくとも垂直に、好ましくは水平にも前記タイルを共に係止するための対向する第１機械的連結手段の対を有し、
前記第２対の対向端部が、
上向きトングと、前記上向きトングから距離をおいて存在する少なくとも一つの上向きフランクと、前記上向きトングと前記上向きフランクとの間に形成された上向き溝とを含む第３連結プロファイルであって、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含む、第３連結プロファイルと、
下向きトングと、前記下向きトングから距離をおいて存在する少なくとも一つの下向きフランクと、前記下向きトングと前記下向きフランクとの間に形成された下向き溝とを含む第４連結プロファイルであって、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記少なくとも一つの第１係止素子との相互作用のために適合し、第２機械的連結プロファイルが、前記タイルの前記第１連結プロファイルと別のタイルの前記第２連結プロファイルとを内側に角度を向ける間に前記タイルを共に係止することを可能にし、連結対象の前記タイルの前記第４連結プロファイルによって、前記第３連結プロファイル及び前記第４連結プロファイルの係止をもたらすさらに別のタイルの前記第３連結プロファイルの方へのシザリング移動が生じる、第４連結プロファイルと、を含む、垂直且つ水平に前記タイルを共に係止するための対向する第２機械的連結手段の対を有し、
各タイルが、少なくとも一つの可塑性材料と少なくとも一つの充填剤とを含む発泡複合体で少なくとも部分的に作製された実質的に剛性の基層を含み、少なくとも一つのタイルが、前記基層の上側に付着させた少なくとも一つの上側基板を含み、前記上側基板が装飾層を含み、少なくとも一つのタイルが、前記基層の上側に付着させた複数の帯板形状上側基板を含み、前記上側基板が、同一平面内に並んで、好ましくは平行構成で配置され、少なくとも二つの帯板形状上側基板の対向する長手方向端部が、最上部側の近くでベベルを有し、
前記タイルシステムが二つの異なる型のタイル（それぞれＡ及びＢ）を含み、前記第１対の対向端部に沿った一方の型のタイルの前記第１機械的連結手段が、他方の型のタイルの同一の前記第１対の対向端部部分に沿った前記対応する第１機械的連結手段に対してミラー反転様式で配置される多目的タイルシステム。
【請求項２】
少なくとも一つのタイルが、
前記第１連結プロファイルが前記第１端部に配置され、
前記第２連結プロファイルが前記第２端部に配置され、
前記第３連結プロファイルが前記第３端部に配置され、
前記第４連結プロファイルが前記第４端部に配置される、構成を有する、請求項１に記載のタイルシステム。
【請求項３】
少なくとも一つのタイルが、
前記第１連結プロファイルが前記第２端部に配置され、
前記第２連結プロファイルが前記第１端部に配置され、
前記第３連結プロファイルが前記第３端部に配置され、
前記第４連結プロファイルが前記第４端部に配置される、構成を有する、請求項１または２に記載のタイルシステム。
【請求項４】
前記第１連結プロファイルが、前記タイルの前記上側に実質的に平行な方向に延びる横向きトングを含み、前記横向きトングの底部前部領域、前記トングの底部後部領域がベアリング領域として構成され、前記底部後部領域が、前記底部前部領域の最下部よりも前記タイルの上側のレベルに近くに位置し、
前記第２連結プロファイルが、さらなるタイルの前記横向きトングの少なくとも一部を収容するための凹部を含み、前記凹部が上側リップ及び下側リップによって規定され、前記下側リップが、前記横向きトングの前記ベアリング領域を支持する且つ／又は対向するための上方突出肩部を有し、係止が、前記横向きトング、さらなるタイルの前記凹部内への導入移動と、前記第１連結プロファイルに平行な軸線の周りの下に角度を向ける移動とによって起こるように、前記横向きトングが設計され、その結果、前記横向きトングの最上部側が前記上側リップに係合することになり、前記横向きトングの前記ベアリング領域が前記下側リップの肩部に支持され、且つ／又は対向することになり、それによって、水平方向及び垂直方向の両方における前記第１端部及び前記第２端部における隣接するタイルの係止が生じる、請求項１〜３の何れか一項に記載のタイルシステム。
【請求項５】
前記第３連結プロファイルが、上向きトングと、前記上向きトングから距離をおいて存在する少なくとも一つの上向きフランクと、前記上向きトングと前記上向きフランクとの間に形成された上向き溝とを含み、前記上向きフランクに対向する前記上向きトングの側面の少なくとも一部が前記上向きフランクの方へ傾斜し、前記上向きフランクから離れて対向する前記上向きトングの側面の少なくとも一部が、好ましくは前記上向きトングの一体部分を作る少なくとも一つの第１係止素子を所望により含み、
前記第４連結プロファイルが、下向きトングと、前記下向きトングから距離をおいて存在する少なくとも一つの下向きフランクと、前記下向きトングと前記下向きフランクとの間に形成された下向き溝とを含み、前記下向きフランクに対向する前記下向きトングの側面の少なくとも一部が前記下向きフランクの方へ傾斜し、前記下向きフランクが、好ましくは前記下向きフランクの一体部分を作る少なくとも一つの第２係止素子を所望により含み、なおさらなるタイルの前記第３連結プロファイルの前記少なくとも一つの第１係止素子との相互作用のために適合し、
前記第３連結プロファイル及び前記第４連結プロファイルが、前記第１連結プロファイルにおける連結対象のタイルの角度をさらなるタイルの前記第２連結プロファイルに下げる間に係止が起こるように設計され、水平方向及び垂直方向の両方における前記第３連結プロファイル及び前記第４連結プロファイルにおける隣接するタイルの係止につながる、前記第３連結プロファイル及び／又は連結プロファイル端部の変形によって、連結対象の前記タイルの前記第４連結プロファイルの前記下向きトングが前記別のタイルの前記第３連結プロファイルの前記上向き溝内に圧入され、前記別のタイルの前記上向きトングが連結対象の前記タイルの前記下向き溝内に圧入されるように、連結対象の前記タイルの前記第４連結プロファイルが、さらに別のタイルの第３連結プロファイルの方へのシザリング移動を生じる、請求項１〜４の何れか一項に記載のタイルシステム。
【請求項６】
タイルの前記第１端部の長さ及び前記第２端部の長さが実質的に同一である、請求項１〜５の何れか一項に記載のタイルシステム。
【請求項７】
タイルの前記第１端部の前記長さ及び前記第２端部の前記長さが、前記タイルの前記第３端部及び前記第４端部の前記長さよりも長い、請求項１〜６の何れか一項に記載のタイルシステム。
【請求項８】
前記第１鋭角及び前記第２鋭角が、３０〜６０度の間であり、好ましくは実質的に４５度である、請求項１〜７の何れか一項に記載のタイルシステム。
【請求項９】
前記第１鈍角及び前記第２鈍角が、１２０〜１５０度の間であり、好ましくは実質的に１３５度である、請求項１〜８の何れか一項に記載のタイルシステム。
【請求項１０】
タイル、好ましくは各タイルの少なくとも一対の対向端部が、前記最上部側の近くでベベルを有する、請求項１〜９の何れか一項に記載のタイルシステム。
【請求項１１】
各帯板形状上側基板が、
装飾層と、
前記装飾層をカバーし、摩耗層の上面が前記タイルの前記上面であり、前記摩耗層が透明材料及び／又は半透明材料であり、その結果、装飾層が透明摩耗層を通して視認可能であり、少なくとも二つの帯板形状上側基板の対向する長手方向端部において提供される各ベベルが前記摩耗層の切取部分及び／又は刻印部分によって形成される、耐摩耗性摩耗層と、
所望により、前記装飾層と前記摩耗層との間にある透明仕上げ層と、を含む、請求項１〜１０の何れか一項に記載のタイルシステム。
【請求項１２】
各帯板形状上側基板が、前記基層と前記装飾層との間にある背面層を含む、請求項１〜１１の何れか一項に記載のタイルシステム。
【請求項１３】
前記背面層の最上部分の幅が、前記背面層の底部分の幅よりも大きい、請求項１２に記載のタイルシステム。
【請求項１４】
少なくとも一つの上側基板、好ましくは各上側基板が、金属、合金、ビニルモノマーコポリマー及び／又はホモポリマーなどの巨大分子材料；ポリエステル、ポリアミド、ポリイミド、エポキシ樹脂、フェノールホルムアルデヒド樹脂、尿素ホルムアルデヒド樹脂などの縮合重合体；植物繊維、動物繊維、鉱物繊維、セラミック繊維及び炭素繊維などの天然巨大分子材料又はそれらの改質誘導体、からなる群から選択される少なくとも一つの材料で少なくとも部分的に作製され、好ましくは、一つ以上のビニルモノマーコポリマー及び／又はホモポリマーが適用される場合、前記ビニルモノマーコポリマー及び／又はホモポリマーが、ポリエチレン、ポリ塩化ビニル、ポリスチレン、ポリメタクリレート、ポリアクリレート、ポリアクリルアミド、ＡＢＳ、（アクリロニトリル−ブタジエン−スチレン）コポリマー、ポリプロピレン、エチレン―プロピレンコポリマー、ポリ塩化ビニリデン、ポリテトラフルオロエチレン、ポリフッ化ビニリデン、ヘキサフルオロプロペン及びスチレン−無水マレイン酸コポリマーからなる群から選択される、請求項１〜１３の何れか一項に記載のタイルシステム。
【請求項１５】
各帯板形状上側基板が、プリント層を少なくとも部分的にカバーする実質的に透明又は半透明な三次元エンボス加工構造を含む、請求項１〜１４の何れか一項に記載のタイルシステム。
【請求項１６】
前記複数の上側基板が、前記基層の上側表面を実質的に完全にカバーする、請求項１〜１５の何れか一項に記載のタイルシステム。
【請求項１７】
前記複数の上側基板の各々が、前記タイルの前記第１端部から前記第２端部に延びる、請求項１〜１６の何れか一項に記載のタイルシステム。
【請求項１８】
前記複数の上側基板の各々が装飾層を含み、少なくとも二つの隣接して配置された上側基板の前記装飾層が異なる外観を有する、請求項１〜１７の何れか一項に記載のタイルシステム。
【請求項１９】
前記基層が、複数の発泡剤、好ましくは活性化発泡剤を含み、少なくとも二つの発泡剤が、互いに異なる分解温度を有する、請求項１〜１８の何れか一項に記載のタイルシステム。
【請求項２０】
前記基層の前記発泡複合体の前記可塑性材料がポリ塩化ビニル（ＰＶＣ）である、請求項１〜１９の何れか一項に記載のタイルシステム。
【請求項２１】
前記基層の前記発泡複合体の前記可塑性材料が、エチレン酢酸ビニル（ＥＶＡ）、ポリウレタン（ＰＵ）、ポリエチレン（ＰＥ）、ポリプロピレン（ＰＰ）、ポリスチレン（ＰＳ）、ポリ塩化ビニル（ＰＶＣ）又はそれらの混合物からなる群から選択される少なくとも一つの材料である、請求項１〜２０の何れか一項に記載のタイルシステム。
【請求項２２】
前記基層の少なくとも一つの充填剤が、タルク、チョーク、木材、炭酸カルシウム及び無機充填剤からなる群から選択される、請求項１〜２１の何れか一項に記載のタイルシステム。
【請求項２３】
前記基層の少なくとも一つの充填剤が、ステアリン酸塩、ステアリン酸カルシウム及びステアリン酸亜鉛からなる群から選択される、請求項１〜２２の何れか一項に記載のタイルシステム。
【請求項２４】
前記基層が、少なくとも一つのアルキルメタクリレートを含む少なくとも一つの衝撃改質剤を含み、前記アルキルメタクリレートが、好ましくは、メチルメタクリレート、エチルメタクリレート、プロピルメタクリレート、イソプロピルメタクリレート、ｔ−ブチルメタクリレート及びイソブチルメタクリレートからなる群から選択される、請求項１〜２３の何れか一項に記載のタイルシステム。
【請求項２５】
前記実質的に剛性の基層が、独立気泡発泡体可塑性材料で少なくとも部分的に作製され、前記可塑性材料が可塑剤を含まない、請求項１〜２４の何れか一項に記載のタイルシステム。
【請求項２６】
前記発泡複合体が、約０．１〜１．５ｇ／ｃｍ３の範囲の密度を有する、請求項１〜２５の何れか一項に記載のタイルシステム。
【請求項２７】
前記発泡複合体が、約３重量％〜９重量％の強化剤を含む、請求項１〜２６の何れか一項に記載のタイルシステム。
【請求項２８】
前記発泡複合体が、７００ＭＰａ超の弾性係数を有する、請求項１〜２７の何れか一項に記載のタイルシステム。
【請求項２９】
前記基層の密度が、前記基層の高さに沿って変化する、請求項１〜２８の何れか一項に記載のタイルシステム。
【請求項３０】
前記基層の最上部及び／又は底部が、前記基層の中心領域の多孔度未満である多孔度を有するクラスト層を形成し、各クラスト層の厚さが、０．０１〜１ｍｍの間、好ましくは０．１〜０．８ｍｍの間である、請求項１〜２９の何れか一項に記載のタイルシステム。
【請求項３１】
各タイルが、前記基層の底側に付着された少なくとも一つのバッキング層を含み、前記少なくとも一つのバッキング層が、可撓性材料、好ましくはエラストマーで少なくとも部分的に作製される、請求項１〜３０の何れか一項に記載のタイルシステム。
【請求項３２】
前記バッキング層の厚さが少なくとも０．５ｍｍである、請求項３１に記載のタイルシステム。
【請求項３３】
各タイルが少なくとも一つの補強層を含み、前記補強層の密度が、好ましくは、１０００〜２０００ｋｇ／ｍ３の間、好ましくは１４００〜１９００ｋｇ／ｍ３の間、より好ましくは１４００〜１７００ｋｇ／ｍ３の間である、請求項１〜３２の何れか一項に記載のタイルシステム。
【請求項３４】
各タイルの第１連結部分の少なくとも一部及び／又は第２連結部分の少なくとも一部が前記基層に一体的に接続される、請求項１〜３３の何れか一項に記載のタイルシステム。
【請求項３５】
第１連結部分及び／又は第２連結部分は、連結及び離脱中における変形を可能にする、請求項１〜３４の何れか一項に記載のタイルシステム。
【請求項３６】
第１連結部分及び第２連結部分の内の少なくとも一つの連結部分が、前記連結素子の前記トングを前記基層に接続する架橋を含み、前記架橋の最小厚さが、前記トングの最小幅よりも小さい、請求項１〜３５の何れか一項に記載のタイルシステム。
【請求項３７】
第２連結部分が、前記下向きトングを前記基層に接続する上側架橋を含み、前記上側架橋が、隣接するタイルの連結中に変形して、前記下向き溝を広げるように構成され、好ましくは、前記第２連結部分の前記上側架橋の下側が少なくとも部分的に傾斜する、請求項１〜３６の何れか一項に記載のタイルシステム。
【請求項３８】
前記上向きトングの前記上側が、少なくとも部分的に傾斜し、前記上向きトングの上側の傾きと前記第２連結部分の架橋部分の傾きとが実質的に同様であり、両傾きが、例えば、相互に０〜５度の間の角度を囲む、請求項３７に記載のタイルシステム。
【請求項３９】
前記タイルの前記上側に隣接する前記上向きフランクの少なくとも一部が、これらのタイルの連結状態で別のタイルの前記上側に隣接する前記下向きトングの少なくとも一部に接触するように適合される、請求項１〜３８の何れか一項に記載のタイルシステム。
【請求項４０】
前記タイルの前記上側が、別のタイルの前記上側に実質的に継ぎ目なしで係合するように適合される、請求項３８に記載のタイルシステム。
【請求項４１】
前記第１係止素子が、前記上向きトングの上側から距離をおいて位置する、請求項１〜４０の何れか一項に記載のタイルシステム。
【請求項４２】
前記第２係止素子が、前記下向き溝の上側から距離をおいて位置する、請求項１〜４１の何れか一項に記載のタイルシステム。
【請求項４３】
下向き配置端部の有効高さが、前記上向きトングの有効高さよりも高い、請求項１〜４２の何れか一項に記載のタイルシステム。
【請求項４４】
前記上向きフランクに対向する前記上向きトングの側面の少なくとも傾斜部分及び前記上向きフランクによって囲まれる相互角度が、前記下向きフランクに対向する前記下向きトングの側面の少なくとも傾斜部分及び前記下向きフランクによって囲まれる前記相互角度に実質的に等しい、請求項１〜４３の何れか一項に記載のタイルシステム。
【請求項４５】
一方で、前記上向きフランクに対向する前記上向きトングの側面の少なくとも一部が延びる前記方向、及び他方で、前記基層の上側の法線によって囲まれる前記角度が、０〜６０度の間、特に０〜４５度の間である、請求項１〜４４の何れか一項に記載のタイルシステム。
【請求項４６】
一方で、前記下向きフランクに対向する前記下向きトングの側面の少なくとも一部が延びる前記方向、及び他方で、前記基層の下側の法線によって囲まれる前記角度が、０〜６０度の間、特に０〜４５度の間である、請求項１〜４５の何れか一項に記載のタイルシステム。
【請求項４７】
前記第１係止素子が少なくとも一つの外側バルジを含み、前記第２係止素子が少なくとも一つの凹部を含み、前記外側バルジが、係止結合を実現する目的のために、隣接する連結タイルの凹部内に少なくとも部分的に収容されるように適合される、請求項１〜４６の何れか一項に記載のタイルシステム。
【請求項４８】
前記第１係止素子が、前記上向きトングの上側から距離をおいて位置する、請求項１〜４７の何れか一項に記載のタイルシステム。
【請求項４９】
前記下向きフランクから離れて対向する前記下向きトングの側面が第３係止素子を有し、前記上向きフランクが第４係止素子を有し、前記第３係止素子が、別のタイルの第４係止素子と協働するように適合される、請求項１〜４８の何れか一項に記載のタイルシステム。
【請求項５０】
二つのタイルの連結状態における前記第３係止素子と前記第４係止素子との間の前記相互作用が、前記タイルによって規定された平面に対する角度Ａ１を囲む接平面Ｔ１を規定し、前記角度Ａ１が、前記タイルによって規定された前記平面と、前記上向きフランクに対向する前記上向きトングの側面の傾斜部分と前記下向きフランクに対向する前記下向きトングの側面の傾斜部分との間の相互作用によって規定される接平面Ｔ２とによって囲まれた角度Ａ２よりも小さい、請求項４９に記載のタイルシステム。
【請求項５１】
角度Ａ１と角度Ａ２との間の最大差が５〜１０度の間である、請求項５０に記載のタイルシステム。
【請求項５２】
前記下向きトングの上側端部と前記基層の下側との間の最短距離が平面を規定し、前記第３係止素子と前記下向きトングの少なくとも一部とが前記平面の反対側に位置する、請求項４９〜５１の何れか一項に記載のタイルシステム。
【請求項５３】
前記第３係止素子と前記タイルの上側との間の最小距離が、前記上向きトングの上側と前記タイルの前記上側との間の最小距離よりも小さい、請求項４９〜５２の何れか一項に記載のタイルシステム。
【請求項５４】
前記上向きフランクから離れて対向する前記上向きトングの側面が、隣接するタイルの連結状態において前記下向きフランクから距離をおいて位置する、請求項１〜５３の何れか一項に記載のタイルシステム。
【請求項５５】
少なくとも多くのタイルが同一である、請求項１〜５４の何れか一項に記載のタイルシステム。
【請求項５６】
前記タイルシステムが、異なる型のタイル（それぞれＡ及びＢ）を含み、第１の型のタイル（Ａ）の大きさが、第２の型のタイル（Ｂ）の大きさと異なる、請求項１〜５５の何れか一項に記載のタイルシステム。
【請求項５７】
特徴的な視覚的マークが、好ましくは設置目的のために、異なるタイルの型に適用される、請求項１〜５６の何れか一項に記載のタイルシステム。
【請求項５８】
特徴的な視覚的マークが、各タイルの型の少なくとも一つの第１連結素子の前記上向きトングに適用される、請求項５７に記載のタイルシステム。
【請求項５９】
前記装飾層が、前記基層又は前記基層上に適用されたプライマー層などの支持層上にデジタル的に直接印刷されたインク層によって形成される、請求項１〜５８の何れか一項に記載のタイルシステム。
【請求項６０】
前記装飾層が印刷合成フィルムによって形成される、請求項１〜５８の何れか一項に記載のタイルシステム。
【請求項６１】
請求項１〜６０の何れか一項に記載の前記タイルシステムの相互に連結されたタイルからなるタイルカバー、特に床カバー、天井カバー又は壁カバー。
【請求項６２】
請求項１〜６０の何れか一項に記載の多目的タイルシステムにおける使用のためのタイル。
【国際調査報告】
2021532291.tif 000028
2021532291.tif 000029
2021532291.tif 000030